(57)【要約】      （修正有）【課題】通信プロセスにおけるシグナリング量を低減し、ネットワークリソース利用率を改善し、ネットワーク管理及び維持効率を改善する無線通信方法及びデバイスを提供する。【解決手段】通信システムは、ユーザ装置と、無線アクセスネットワークと、モビリティ管理エンティティ等の第１のコアネットワークエンティティと、少なくとも１つのネットワークスライスとを含む。第１のコアネットワークエンティティは、ユーザ装置との間でシグナリング接続を確立しＳ１１０、シグナリング接続上でユーザ装置が送信したネットワークスライス情報及び非アクセス層ＮＡＳメッセージを受信するＳ１２０。第１のコアネットワークエンティティは、ネットワークスライス情報に基づいて、第２のコアネットワークエンティティを含むターゲットネットワークスライスを決定し、ＮＡＳメッセージを第２のコアネットワークエンティティに送信するＳ１３０。【選択図】図２
2020129826.tif 000002
【特許請求の範囲】
【請求項１】
方法無線通信方法であって、
ユーザ装置（UE）により、第１のコアネットワークエンティティへのシグナリング接続を確立するステップと、
前記UEにより、ネットワークスライス情報及び非アクセス層（NAS）メッセージを前記第１のコアネットワークエンティティに送信するステップであり、前記ネットワークスライス情報は、ネットワークスライス識別子を含む、ステップと、
前記UEにより、RAN及び前記第１のコアネットワークエンティティを通じて第２のコアネットワークエンティティとNAS通信を実行するステップであり、前記第２のコアネットワークエンティティは、ネットワークスライス識別子に対応するターゲットネットワークスライスに属する、ステップと
を含む方法。
【請求項２】
NASメッセージを前記第１のコアネットワークエンティティに送信することは、
前記UEにより、非アクセス層コンテナ（NAS）  Container）を前記第１のコアネットワークエンティティに送信し、前記NAS  Containerは、前記NASメッセージを含むことを含む、請求項１のうちいずれか１項に記載の方法。
【請求項３】
前記NAS  Container内のコンテンツは、前記第１のコアネットワークエンティティにより解析されない、請求項１又は２に記載の方法。
【請求項４】
前記NASメッセージは、前記UEと前記第２のコアネットワークエンティティとの間のセッションを活性化するように構成される、請求項１又は２に記載の方法。
【請求項５】
前記UEにより、前記NASメッセージを前記第１のコアネットワークエンティティに送信する前に、
前記UEにより、前記第１のコアネットワークエンティティからページングメッセージを受信するステップであり、前記ページングメッセージは、前記ネットワークスライス識別子を含む、ステップを更に含む、請求項１乃至４のうちいずれか１項に記載の方法。
【請求項６】
前記UEにより、前記UEと前記第２のコアネットワークエンティティとの間で前記セッションが活性化されている間に、前記第２のコアネットワークエンティティからメッセージを取得するステップと、
前記UEにより、前記第２のメッセージと、前記UEによりネットワークスライスを決定するために使用される情報と前記第１のコアネットワークエンティティにより前記ネットワークスライスを決定するために使用される情報との間の対応関係とに基づいて、情報を決定するステップであり、前記第２の情報は、前記UEにより前記ターゲットネットワークスライスを決定するために使用される、ステップと
を更に含む、請求項１乃至５のうちいずれか１項に記載の方法。
【請求項７】
無線通信方法であって、
第１のコアネットワークエンティティにより、ユーザ装置（UE）へのシグナリング接続を確立するステップと、
前記第１のコアネットワークエンティティにより、前記UEからネットワークスライス情報及び非アクセス層（NAS）メッセージを受信するステップであり、前記ネットワークスライス情報は、ネットワークスライス識別子を含む、ステップと、
前記第１のコアネットワークエンティティにより、ターゲットネットワークスライスを取得するステップであり、前記ターゲットネットワークスライスは、前記ネットワークスライス識別子に対応し、前記ターゲットネットワークスライスは、第２のコアネットワークエンティティを含む、ステップと、
前記第１のコアネットワークエンティティにより、前記NASメッセージを前記第２のコアネットワークエンティティに送信するステップと
を含む方法。
【請求項８】
前記第１のコアネットワークエンティティにより、前記UEからNAS  Containerを受信するステップであり、前記NAS  Containerは、前記NASメッセージを含む、ステップを更に含む、請求項７に記載の方法。
【請求項９】
前記第１のコアネットワークエンティティにより、前記NAS  Container内のコンテンツを解析せずに前記第２のコアネットワークエンティティに送信するステップを更に含む、請求項７又は８に記載の方法。
【請求項１０】
前記第１のコアネットワークエンティティにより、前記第２のコアネットワークエンティティからRAN  Containerを受信するステップであり、前記RAN  Containerは、前記RANと第３のコアネットワークエンティティとの間のユーザプレーン接続を示す、ステップと、
前記第１のコアネットワークエンティティにより、前記RAN  Container内のコンテンツを解析せずに前記RAN  Containerを前記RANに送信するステップと
を更に含む、請求項７乃至９のうちいずれか１項に記載の方法。
【請求項１１】
無線通信であって、
第１のコアネットワークエンティティにより、ユーザ装置（UE）へのシグナリング接続を確立するステップと、
前記第１のコアネットワークエンティティにより、前記UEからネットワークスライス情報及び非アクセス層（NAS）メッセージを受信するステップであり、前記ネットワークスライス情報は、ネットワークスライス識別子を含む、ステップと、
前記第１のコアネットワークエンティティにより、ターゲットネットワークスライスを取得するステップであり、前記ターゲットネットワークスライスは、前記ネットワークスライス識別子に対応し、前記ターゲットネットワークスライスは、第２のコアネットワークエンティティを含む、ステップと、
前記第１のコアネットワークエンティティにより、前記NASメッセージを前記第２のコアネットワークエンティティに送信するステップと、
前記第２のコアネットワークエンティティにより、前記NASメッセージに基づいて、RAN及び前記第１のコアネットワークエンティティを通じて前記UEとNAS通信を実行するステップであり、前記第２のコアネットワークエンティティは、ネットワークスライス識別子に対応するターゲットネットワークスライスに属する、ステップと
を含む方法。
【請求項１２】
前記第１のコアネットワークエンティティにより、前記UEからNAS  Containerを受信するステップであり、前記NAS  Containerは、前記NASメッセージを含む、ステップを更に含む、請求項１１に記載の方法。
【請求項１３】
前記第１のコアネットワークエンティティにより、前記NAS  Container内のコンテンツを解析せずに前記第２のコアネットワークエンティティに送信するステップを更に含む、請求項１１又は１２に記載の方法。
【請求項１４】
前記第１のコアネットワークエンティティにより、前記第２のコアネットワークエンティティからRAN  Containerを受信するステップであり、前記RAN  Containerは、前記RANと第３のコアネットワークエンティティとの間のユーザプレーン接続を示す、ステップと、
前記第１のコアネットワークエンティティにより、前記RAN  Container内のコンテンツを解析せずに前記RAN  Containerを前記RANに送信するステップと
を更に含む、請求項１１乃至１３のうちいずれか１項に記載の方法。
【請求項１５】
少なくとも１つのプロセッサと、命令を記憶するように構成されたメモリとを含む装置であって、
前記少なくとも１つのプロセッサは、前記メモリに記憶された前記命令を実行するように構成され、それにより、前記第１のコアネットワークエンティティは、請求項１乃至６のうちいずれか１項に記載の方法のステップを実行する、装置。
【請求項１６】
当該装置は、ユーザ装置又は通信チップである、請求項１５に記載の装置。
【請求項１７】
少なくとも１つのプロセッサと、命令を記憶するように構成されたメモリとを含む第１のコアネットワークエンティティであって、
前記少なくとも１つのプロセッサは、前記メモリに記憶された前記命令を実行するように構成され、それにより、前記第１のコアネットワークエンティティは、請求項７乃至１０のうちいずれか１項に記載の方法のステップを実行する、第１のコアネットワークエンティティ。
【請求項１８】
コンピュータにより実行されたとき、前記コンピュータに請求項１乃至６のうちいずれか１項に記載の方法のステップを実行させる命令を含むコンピュータ読み取り可能記憶媒体。
【請求項１９】
コンピュータにより実行されたとき、前記コンピュータに請求項７乃至１０のうちいずれか１項に記載の方法のステップを実行させる命令を含むコンピュータ読み取り可能記憶媒体。
【請求項２０】
第１のコアネットワークエンティティと、第２のコアネットワークエンティティとを含む通信システムであって、
前記第１のコアネットワークエンティティは、少なくとも、
ユーザ装置（UE）へのシグナリング接続を確立するステップと、
前記UEからネットワークスライス情報及び非アクセス層（NAS）メッセージを受信するステップであり、前記ネットワークスライス情報は、ネットワークスライス識別子を含む、ステップと、
ターゲットネットワークスライスを取得するステップであり、前記ターゲットネットワークスライスは、前記ネットワークスライス識別子に対応し、前記ターゲットネットワークスライスは、前記第２のコアネットワークエンティティを含む、ステップと、
前記NASメッセージを前記第２のコアネットワークエンティティに送信するステップと
を実行するように構成され、
前記第２のコアネットワークエンティティは、少なくとも、
前記第２のコアネットワークエンティティにより、前記NASメッセージに基づいて、RAN及び前記第１のコアネットワークエンティティを通じて前記UEとNAS通信を実行するステップであり、前記第２のコアネットワークエンティティは、ネットワークスライス識別子に対応するターゲットネットワークスライスに属する、ステップを実行するように構成される、通信システム。
【発明の詳細な説明】
【技術分野】
【０００１】
［関連出願への相互参照］
この出願は、「WIRELESS  COMMUNICATION  METHOD  AND  DEVICE」という名称で2016年5月30日に中国特許庁に出願されたPCT特許出願第PCT/CN2016/083887号の優先権を主張し、その全内容を参照により援用する。
【０００２】
［技術分野］
本発明の実施例は、通信分野に関し、より具体的には、無線通信方法及びデバイスに関する。
【背景技術】
【０００３】
移動通信システムにおける様々なシナリオのサービス要件を満たすために、物理ネットワークは複数の仮想論理ネットワークに分割される。これらの仮想論理ネットワークはネットワークスライス（Network  Slicing）と呼ばれる。具体的には、ネットワークは複数のネットワークスライスを含んでもよく、特定のネットワークスライスは、特定のシナリオの通信サービス要件をサポートする論理ネットワーク機能エンティティのセット、例えば、多数のマシンデバイスを伴う通信をサポートするネットワークスライス、モバイルブロードバンドサービスをサポートするネットワークスライス、並びに低遅延及び高信頼性をサポートするネットワークスライスとして規定されてもよい。
【０００４】
第３世代パートナーシッププロジェクト（3rd  Generation  Partnership  Project,  略称「3GPP」）の既存の標準の解決策は、UEが複数のNetwork  Slicingに同時にアクセスするシナリオをサポートする。UEが複数のNetwork  Slicingに同時にアクセスする通信プロセスにおいて、ネットワーク内に大量のシグナリングが存在する。これは、ネットワークリソースの浪費を引き起こし、ユーザの通信体験に影響を与える。
【発明の概要】
【０００５】
この出願は、通信プロセスにおけるシグナリング量を低減し、ネットワークリソース利用率を改善し、ネットワーク管理及び維持効率を改善するための無線通信方法及びデバイスを提供する。
【０００６】
この出願の理解を容易にするため、この出願の説明に導入されるべきいくつかの要素について、ここでまず説明する。
【０００７】
ネットワークスライス（Network  Slicing）は、ネットワークフラグメントとも呼ばれ、特定のシナリオの通信サービス要件をサポートする論理ネットワーク機能エンティティのセットである。
【０００８】
アイドル（Idle）モードは、UEがネットワークスライス内でコアネットワークエンティティへの制御プレーン接続もユーザプレーン接続も有さないモードである。
【０００９】
接続（Connected）モードは、UEがネットワークスライス内でコアネットワークエンティティへの少なくとも非アクセス層（Non-Access  Stratum,  略称「NAS」）制御プレーン接続を有するモードである。
【００１０】
NAS通信は、UEとコアネットワークエンティティとの間のシグナリング伝送である。
【００１１】
第１の態様によれば、無線通信方法が提供される。当該方法は通信システムに適用される。通信システムは、ユーザ装置UEと、無線アクセスネットワーク（Radio  Access  Network,  略称「RAN」）と、第１のコアネットワークエンティティと、少なくとも１つのネットワークスライスとを含む。当該方法は、第１のコアネットワークエンティティにより、UEへのシグナリング接続を確立するステップと、第１のコアネットワークエンティティにより、シグナリング接続上でUEにより送信されたネットワークスライス情報及び非アクセス層NASメッセージを受信するステップと、第１のコアネットワークエンティティにより、ネットワークスライス情報に基づいて、少なくとも１つのネットワークスライスからターゲットネットワークスライスを決定するステップであり、ターゲットネットワークスライスは第２のコアネットワークエンティティを含み、UEは、RAN及び第１のコアネットワークエンティティを使用することにより、第２のコアネットワークエンティティとNAS通信を実行する、ステップと、第１のコアネットワークエンティティにより、NASメッセージを第２のコアネットワークエンティティに送信するステップとを含む。
【００１２】
したがって、この出願における無線通信方法によれば、UEのNASメッセージは、１つのコアネットワークエンティティを使用することにより、複数のネットワークスライス内のコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【００１３】
任意選択で、第１のコアネットワークエンティティがUEへのシグナリング接続を確立するとき、第１のコアネットワークエンティティは、UEにより送信された接続確立要求メッセージを受信し、接続確立要求メッセージは、第１のコアネットワークエンティティへのシグナリング接続を確立するのを要求するために使用され、第１のコアネットワークエンティティは、UEの認証情報を取得し、第１のコアネットワークエンティティが認証情報に基づいてUEが認証できると決定したとき、第１のコアネットワークエンティティは、接続確立応答メッセージをUEに送信し、それにより、UEと第１のコアネットワークエンティティとの間のシグナリング接続を確立する。
【００１４】
任意選択で、第１のコアネットワークエンティティは、クエリ要求メッセージをホーム加入者サーバ（Home  Subscriber  Server,  略称「HSS」）に送信し、クエリ要求メッセージは、UEの認証情報を問い合わせるのを要求するために使用され、第１のコアネットワークエンティティは、クエリ要求メッセージに基づいてHSSにより送信されたUEの認証情報を受信するか、或いは第１のコアネットワークエンティティが、UEの認証情報が第１のコアネットワークエンティティに存在しないと決定したとき、第１のコアネットワークエンティティは、クエリ要求メッセージを第２のコアネットワークエンティティに送信し、クエリ要求メッセージは、UEの認証情報を問い合わせるのを要求するために使用され、第１のコアネットワークエンティティは、第２のコアネットワークエンティティにより送信されたUEの認証情報を受信する。
【００１５】
第１の態様を参照して、第１の態様の第１の可能な実現方式では、ネットワークスライス情報は、ネットワークスライス識別子又はネットワークスライスがサポートする必要があるデータ伝送要件であり、
第１のコアネットワークエンティティにより、ネットワークスライス情報に基づいて、少なくとも１つのネットワークスライスからターゲットネットワークスライスを決定するステップは、第１のコアネットワークエンティティにより、ネットワークスライス識別子に対応するネットワークスライスをターゲットネットワークスライスとして決定するステップ、又は第１のコアネットワークエンティティにより、データ伝送要件をサポートするネットワークスライスをターゲットネットワークスライスとして決定するステップを含む。
【００１６】
第１のコアネットワークエンティティがデータ伝送要件をサポートする複数のネットワークスライスが存在すると決定した場合、第１のコアネットワークエンティティは、最低の負荷を有するネットワークスライスをターゲットネットワークスライスとして決定してもよく、或いは最高の優先度を有するネットワークスライスをターゲットネットワークスライスとして決定してもよい。
【００１７】
第１の態様又は第１の態様の第１の可能な実現方式を参照して、第１の態様の第２の可能な実現方式では、NASメッセージはアタッチ要求メッセージである。
【００１８】
第１のコアネットワークエンティティにより、NASメッセージを第２のコアネットワークエンティティに送信するステップは、第１のコアネットワークエンティティにより、アタッチ要求メッセージ及び第１のコアネットワークエンティティの識別情報を第２のコアネットワークエンティティに送信するステップであり、それにより、アタッチ要求メッセージに基づいてUEをターゲットネットワークスライスに登録した後に、第２のコアネットワークエンティティは、第１のコアネットワークエンティティの識別情報に基づいて、NASメッセージをUEに送信する、ステップを含む。
【００１９】
第１の態様の第２の可能な実現方式を参照して、第１の態様の第３の可能な実現方式では、ターゲットネットワークスライスは第３のコアネットワークエンティティを更に含み、UEは、RANを使用することにより、第３のコアネットワークエンティティとデータ通信を実行する。
【００２０】
第１のコアネットワークエンティティにより、アタッチ要求メッセージ及び第１のコアネットワークエンティティの識別情報を第２のコアネットワークエンティティに送信した後に、当該方法は、第１のコアネットワークエンティティにより、第２のコアネットワークエンティティにより送信されたユーザプレーン情報を受信するステップであり、ユーザプレーン情報は、RANにより、第３のコアネットワークエンティティへのユーザプレーン接続を確立するために使用される、ステップと、第１のコアネットワークエンティティにより、ユーザプレーン情報をRANに送信するステップであり、それにより、RANは、ユーザプレーン情報に基づいて、第３のコアネットワークエンティティへのユーザプレーン接続を確立する、ステップとを更に含む。
【００２１】
任意選択で、ユーザプレーン情報は、第３のコアネットワークエンティティについての情報を含む。第３のコアエンティティについての情報は、第３のコアネットワークエンティティのインターネットプロトコル（Internet  Protocol,  略称「IP」）アドレスである。
【００２２】
第１の態様の第３の可能な実現方式を参照して、第１の態様の第４の可能な実現方式では、当該方法は、第１のコアネットワークエンティティにより、ネットワークスライス情報をRANに送信するステップであり、それにより、RANは、RANとUEとの間のデータ無線ベアラDRBにネットワークスライス情報を加えたものと、RANと第３のコアネットワークエンティティとの間のユーザプレーン接続との間の対応関係を記憶する、ステップを更に含む。
【００２３】
アプリケーションレイヤにおいてデータ要求を受信した後に、UEは、データに対応するサービス品質（Quality  of  Service,  略称「QoS」）及びネットワークスライス情報を決定し、データを、UEとRANとの間のデータ無線ベアラであり、QoSに対応するデータ無線ベアラに送信する。データは、ネットワークスライス情報を搬送する。RANは、UEとRANとの間のDRBにネットワークスライス情報を加えたものと、RANと第３のコアネットワークエンティティとの間のユーザプレーン接続との間の以前に記憶された対応関係に基づいて、RANと第３のコアネットワークエンティティとの間のユーザプレーン接続であり、使用される必要があるユーザプレーン接続を決定し、データをユーザプレーン接続に送信する。したがって、同じQoSを有するデータは同じDRBにマッピングでき、UEとRANとの間のDRBは複数のNetwork  Slicing内で再利用でき、それにより、ネットワーク内のDRB数を低減し、ネットワークリソースを節約する。
【００２４】
第１の態様及び前述の可能な実現方式のうちいずれか１つを参照して、第１の態様の第５の可能な実現方式では、当該方法は、第１のコアネットワークエンティティにより、UEにより送信された第１の位置更新要求メッセージを受信するステップであり、第１の位置更新要求メッセージは、UEの一時アイデンティティを搬送し、第１の位置更新要求メッセージは、UEが現在位置している位置エリアを第１のコアネットワークエンティティに通知するために使用され、一時アイデンティティは、UEが第１の位置更新要求メッセージを第１のコアネットワークエンティティに送信する前にUEにサービス提供するコアネットワークエンティティによりUEに割り当てられる、ステップと、第１のコアネットワークエンティティにより、一時アイデンティティに基づいて、UEが現在登録しているネットワークスライス内の第４のコアネットワークエンティティを決定するステップと、第１のコアネットワークエンティティにより、第１のコアネットワークエンティティの識別情報を第４のコアネットワークエンティティに送信するステップであり、それにより、第４のコアネットワークエンティティは、第１のコアネットワークエンティティの識別情報に基づいて、NASメッセージをUEに送信する、ステップとを更に含む。
【００２５】
第１のコアネットワークエンティティにより、一時アイデンティティに基づいて、UEが現在登録しているネットワークスライス内の第４のコアネットワークエンティティを決定するステップは、具体的には、第１のコアネットワークエンティティにより、一時アイデンティティに基づいて、UEが第１のメッセージを第１のコアネットワークエンティティに送信する前にUEにサービス提供するコアネットワークエンティティを決定するステップと、要求メッセージを、UEにサービス提供するコアネットワークエンティティに送信するステップであり、要求メッセージは、UEにサービス提供するコアネットワークエンティティから、UEが現在登録しているネットワークスライス内の第４のコアネットワークエンティティについての情報を要求するために使用される、ステップと、第１のコアネットワークエンティティにより、UEにサービス提供するコアネットワークエンティティにより送信された応答メッセージを受信するステップであり、応答メッセージは、UEが現在登録しているネットワークスライス内の第４のコアネットワークエンティティについての情報を含む、ステップと、第１のコアネットワークエンティティにより、応答メッセージに基づいて、UEが現在登録しているネットワークスライス内の第４のコアネットワークエンティティを決定するステップでもよい。
【００２６】
任意選択で、第１のコアネットワークエンティティは、HSSへの更新を開始し、HSSは、確認情報を第１のコアネットワークエンティティに送信する。確認情報は、HSSが第１のコアネットワークエンティティのアドレス情報を回復したことを第１のコアネットワークエンティティに通知するために使用され、それにより、ネットワークスライス内の他のコアネットワークエンティティは、HSSを使用することにより、第１のコアネットワークエンティティを見つける。
【００２７】
したがって、UEの位置が更新されているとき、位置は、第１のコアネットワークエンティティのみに更新される必要があり、第１のコアネットワークエンティティは、UEが登録しているネットワークスライス内のコアネットワークエンティティをUEに通知し、それにより、ネットワーク内のシグナリング量が低減できる。
【００２８】
第２の態様によれば、無線通信方法が提供される。当該方法は通信システムに適用される。通信システムは、ユーザ装置UEと、無線アクセスネットワークRANと、第１のコアネットワークエンティティと、少なくとも１つのネットワークスライスとを含む。少なくとも１つのネットワークスライス内のターゲットネットワークスライスは第２のコアネットワークエンティティを含む。UEは、RAN及び第１のコアネットワークエンティティを使用することにより、第２のコアネットワークエンティティと非アクセス層NAS通信を実行する。当該方法は、第２のコアネットワークエンティティにより、第１のコアネットワークエンティティにより送信されたNASメッセージを受信するステップであり、ターゲットネットワークスライスは、UEにより送信されたネットワークスライス情報に基づいて第１のコアネットワークエンティティにより決定され、NASメッセージは、UEにより第１のコアネットワークエンティティに送信される、ステップと、第２のコアネットワークエンティティにより、NASメッセージに基づいて、UEとNAS通信を実行するステップとを含む。
【００２９】
したがって、この出願における無線通信方法によれば、ネットワークスライス内のコアネットワークエンティティは、ネットワークスライスの外部のコアネットワークエンティティにより転送されたUEのNASメッセージを受信でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【００３０】
第２の態様を参照して、第２の態様の第１の可能な実現方式では、NASメッセージはアタッチ要求メッセージである。
【００３１】
第２のコアネットワークエンティティにより、第１のコアネットワークエンティティにより送信されたNASメッセージを受信するステップは、第２のコアネットワークエンティティにより、第１のコアネットワークエンティティにより送信されたアタッチ要求メッセージ及び第１のコアネットワークエンティティの識別情報を受信するステップを含む。
【００３２】
第２のコアネットワークエンティティにより、NASメッセージに基づいて、UEとNAS通信を実行するステップは、第２のコアネットワークエンティティにより、アタッチ要求メッセージに基づいて、UEをターゲットネットワークスライスに登録するステップと、第２のコアネットワークエンティティにより、第１のコアネットワークエンティティの識別情報に基づいて、NASメッセージをUEに送信するステップとを含む。
【００３３】
第２の態様の第１の可能な実現方式を参照して、第２の態様の第２の可能な実現方式では、ターゲットネットワークスライスは第３のコアネットワークエンティティを更に含み、UEは、RANを使用することにより、第３のコアネットワークエンティティとデータ通信を実行する。
【００３４】
第２のコアネットワークエンティティにより、第１のコアネットワークエンティティにより送信されたアタッチ要求メッセージ及び第１のコアネットワークエンティティの識別情報を受信した後に、当該方法は、第２のコアネットワークエンティティにより、ユーザプレーン情報を第１のコアネットワークエンティティに送信するステップであり、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する、ステップを更に含む。
【００３５】
任意選択で、第２のコアネットワークエンティティは、指示情報をUEに送信し、指示情報は、UEのアタッチ要求が承認されたことをUEに通知するために使用される。
【００３６】
第３の態様によれば、無線通信方法が提供される。当該方法は通信システムに適用される。通信システムは、ユーザ装置UEと、無線アクセスネットワークRANと、第１のコアネットワークエンティティと、少なくとも１つのネットワークスライスとを含む。当該方法は、UEにより、第１のコアネットワークエンティティへのシグナリング接続を確立するステップと、UEにより、ネットワークスライス情報及び非アクセス層NASメッセージを第１のコアネットワークエンティティに送信するステップであり、それにより、第１のコアネットワークエンティティは、ネットワークスライス情報に基づいて、少なくとも１つのネットワークスライスからターゲットネットワークスライスを決定し、NASメッセージをターゲットネットワークスライス内の第２のコアネットワークエンティティに送信し、UEは、RAN及び第１のコアネットワークエンティティを使用することにより、第２のコアネットワークエンティティとNAS通信を実行する、ステップとを含む。
【００３７】
したがって、この出願における無線通信方法によれば、ユーザ装置は、ネットワークスライス情報及びNASメッセージを、UEへの接続を確立したコアネットワークエンティティに送信し、それにより、コアネットワークエンティティは、ユーザ装置により送信されたネットワークスライス情報に基づいて、UEにサービス提供するターゲットネットワークスライスを決定し、NASメッセージをターゲットネットワークスライス内のコアネットワークエンティティに送信する。このように、１つのコアネットワークエンティティは、UEのNASメッセージを複数のネットワークスライスのコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【００３８】
第３の態様又は第３の態様の第１の可能な実現方式を参照して、第３の態様の第２の可能な実現方式では、ネットワークスライス情報は、ネットワークスライス識別子又はネットワークスライスがサポートする必要があるデータ伝送要件である。
【００３９】
第３の態様又は第３の態様の第１の可能な実現方式を参照して、第３の態様の第２の可能な実現方式では、NASメッセージはアタッチ要求メッセージである。
【００４０】
任意選択で、UEは、第２のコアネットワークエンティティにより送信された指示情報を受信し、指示情報は、UEのアタッチ要求が承認されたことを示すために使用される。
【００４１】
第４の態様によれば、無線通信方法が提供される。当該方法は通信システムに適用される。通信システムは、ユーザ装置UEと、無線アクセスネットワークRANと、第１のコアネットワークエンティティと、少なくとも１つのネットワークスライスとを含む。当該方法は、第１のコアネットワークエンティティにより、UEが少なくとも１つのネットワークスライス内のターゲットネットワークスライス内でアイドルモードから接続モードに変更する必要があると決定するステップであり、ターゲットネットワークスライスは第２のコアネットワークエンティティを含み、UEは、RAN及び第１のコアネットワークエンティティを使用することにより、第２のコアネットワークエンティティと非アクセス層NAS通信を実行する、ステップと、第１のコアネットワークエンティティにより、第１のメッセージを第２のコアネットワークエンティティに送信するステップであり、第１のメッセージは、UEのモードをアイドルモードから接続モードに変更するのを要求するために使用され、それにより、第２のコアネットワークエンティティは、UEが接続モードに入ることを可能にするために、第１のメッセージに基づいて、UEへのNAS接続を確立する、ステップとを含む。
【００４２】
したがって、この出願における無線通信方法によれば、UEがターゲットネットワークスライス内でアイドルモードから接続モードに変更する必要があると決定したとき、第１のコアネットワークエンティティは、UEのモードを接続モードに変更するのを要求するためのメッセージをターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEへの制御プレーン接続を確立できる。このように、UEが或るネットワークスライス内でアイドルモードにあり、他のネットワークスライス内で接続モードにあるため、接続モードが管理するのが困難であることが回避でき、ネットワーク管理効率が改善できる。
【００４３】
第４の態様を参照して、第４の態様の第１の可能な実現方式では、ターゲットネットワークスライスは第３のコアネットワークエンティティを更に含み、UEは、RANを使用することにより、第３のコアネットワークエンティティとデータ通信を実行する。
【００４４】
第１のコアネットワークエンティティにより、第１のメッセージを第２のコアネットワークエンティティに送信した後に、当該方法は、第１のコアネットワークエンティティにより、第２のコアネットワークエンティティにより送信されたユーザプレーン情報を受信するステップであり、ユーザプレーン情報は、RANにより、第３のコアネットワークエンティティへのユーザプレーン接続を確立するために使用される、ステップと、第１のコアネットワークエンティティにより、ユーザプレーン情報をRANに送信するステップであり、それにより、RANは、ユーザプレーン情報に基づいて、第３のコアネットワークエンティティへのユーザプレーン接続を確立する、ステップとを更に含む。
【００４５】
第４の態様又は第４の態様の第１の可能な実現方式を参照して、第４の態様の第２の可能な実現方式では、第１のコアネットワークエンティティにより、UEが少なくとも１つのネットワークスライス内のターゲットネットワークスライス内でアイドルモードから接続モードに変更する必要があると決定するステップは、第１のコアネットワークエンティティにより、UEにより送信された第２のメッセージを受信するステップであり、第２のメッセージはネットワークスライス情報を含み、第２のメッセージは、UEにより、ネットワークスライス情報により示されるネットワークスライス内で接続モードに入るのを要求するために使用される、ステップと、第１のコアネットワークエンティティにより、第２のメッセージに基づいて、UEがネットワークスライス情報により示されるネットワークスライス内でアイドルモードから接続モードに変更する必要があると決定するステップとを含む。
【００４６】
任意選択で、第１のコアネットワークエンティティは、ネットワークスライス情報をRANに送信し、それにより、RANは、RANとUEとの間のデータ無線ベアラDRBにネットワークスライス情報を加えたものと、RANと第３のコアネットワークエンティティとの間のユーザプレーン接続との間の対応関係を記憶する。したがって、UEとRANとの間のDRBは複数のNetwork  Slicing内で再利用でき、それにより、ネットワーク内のDRB数を低減し、ネットワークリソースを節約する。
【００４７】
第４の態様又は第４の態様の第１の可能な実現方式を参照して、第４の態様の第３の可能な実現方式では、第１のコアネットワークエンティティにより、UEが少なくとも１つのネットワークスライス内のターゲットネットワークスライス内でアイドルモードから接続モードに変更する必要があると決定するステップは、第１のコアネットワークエンティティにより、第２のコアネットワークエンティティにより送信された第３のメッセージを受信するステップであり、第３のメッセージは、第２のコアネットワークエンティティがUEに送信されるべきデータを有することを示すために使用されるか、或いは第３のメッセージは、第２のコアネットワークエンティティがUEとNAS通信を実行する必要があることを示すために使用される、ステップと、第１のコアネットワークエンティティにより、第３のメッセージに基づいて、UEがターゲットネットワークスライス内でアイドルモードから接続モードに変更する必要があると決定するステップとを含む。
【００４８】
第１のコアネットワークエンティティにより、第１のメッセージを第２のコアネットワークエンティティに送信するステップは、第１のコアネットワークデバイスにより、第１のコアネットワークデバイスが、UEへのシグナリング接続が確立されたと決定した場合、第１のメッセージを第２のコアネットワークエンティティに送信するステップを含む。
【００４９】
第４の態様の第３の可能な実現方式を参照して、第４の態様の第４の可能な実現方式では、第１のコアネットワークエンティティにより、第１のメッセージを第２のコアネットワークエンティティに送信するステップは、第１のコアネットワークエンティティにより、第１のコアネットワークエンティティが第１のコアネットワークエンティティとUEとの間にシグナリング接続が確立されていないと決定した場合、ページングメッセージをUEに送信するステップと、第１のコアネットワークエンティティにより、ページングメッセージに基づいてUEにより送信された第４のメッセージを受信するステップであり、第４のメッセージは、第１のコアネットワークエンティティへのシグナリング接続を確立するのを要求するために使用される、ステップと、第１のコアネットワークエンティティにより、第４のメッセージに基づいて、UEへのシグナリング接続を確立するステップと、第１のコアネットワークエンティティにより、第１のコアネットワークエンティティがUEへのシグナリング接続を確立した後に、第１のメッセージを第２のコアネットワークエンティティに送信するステップとを含む。
【００５０】
第４の態様の第１の可能な実現方式を参照して、第４の態様の第５の可能な実現方式では、当該方法は、第１のコアネットワークエンティティにより、第２のコアネットワークエンティティにより送信された第５のメッセージを受信するステップであり、第５のメッセージは、第６のメッセージをRANに送信するように第１のコアネットワークエンティティに対して命令するために使用され、第６のメッセージは、RANと第３のコアネットワークエンティティとの間のユーザプレーン接続を解放するようにRANに対して命令するために使用される、ステップを更に含む。
【００５１】
一般的に、第２のコアネットワークエンティティにより送信された第５のメッセージを受信したとき、第１のコアネットワークエンティティは、UEのローカルに記憶されたコンテキスト情報を削除する。
【００５２】
第４の態様の第５の可能な実現方式を参照して、第４の態様の第６の可能な実現方式では、第１のコアネットワークエンティティが第２のコアネットワークエンティティにより送信された第５のメッセージを受信した後に、第１のコアネットワークエンティティが、UEがターゲットネットワークスライス内でのみ接続モードにあると決定した場合、第６のメッセージは、RANとUEとの間の制御プレーン接続及びユーザプレーン接続を解放するようにRANに対して命令するために使用される接続解放情報を含む。
【００５３】
第４の態様及び第４の態様の第１〜第４の可能な実現方式のうちいずれか１つを参照して、第４の態様の第７の可能な実現方式では、当該方法は、第１のコアネットワークエンティティにより、第７のメッセージをUEに送信するステップであり、第７のメッセージは、UEがターゲットネットワークスライス内で接続モードに入ったことを通知するために使用される、ステップを更に含む。
【００５４】
第５の態様によれば、無線通信方法が提供される。当該方法は通信システムに適用される。通信システムは、ユーザ装置UEと、無線アクセスネットワークRANと、第１のコアネットワークエンティティと、少なくとも１つのネットワークスライスとを含む。少なくとも１つのネットワークスライス内のターゲットネットワークスライスは第２のコアネットワークエンティティを含む。UEは、RAN及び第１のコアネットワークエンティティを使用することにより、第２のコアネットワークエンティティと非アクセス層NAS通信を実行する。当該方法は、第２のコアネットワークエンティティにより、第１のメッセージを第１のコアネットワークエンティティに送信するステップであり、第１のメッセージは、第２のコアネットワークエンティティがUEに送信されるべきデータを有することを示すために使用されるか、或いは第１のメッセージは、第２のコアネットワークエンティティがUEとNAS通信を実行する必要があることを示すために使用され、それにより、第１のコアネットワークエンティティは、第１のメッセージに基づいて、UEがターゲットネットワークスライス内でアイドルモードから接続モードに変更する必要があると決定する、ステップと、第２のコアネットワークエンティティにより、第１のコアネットワークエンティティにより送信された第２のメッセージを受信するステップであり、第２のメッセージは、UEのモードをアイドルモードから接続モードに変更するのを要求するために使用される、ステップと、第２のコアネットワークエンティティにより、UEが接続モードに入ることを可能にするために、第２のメッセージに基づいて、UEへのNAS接続を確立するステップとを含む。
【００５５】
したがって、この出願における無線通信方法によれば、ターゲットネットワークスライス内の第２のコアネットワークエンティティは、ユーザ装置UEのモードを接続モードに変更するのを要求するためのメッセージであり、ターゲットネットワークスライスの外部の第１のコアネットワークエンティティにより送信されたメッセージを受信し、UEが接続モードに入ることを可能にするために、メッセージに基づいて、UEへの制御プレーン接続を確立する。このように、UEが或るネットワークスライス内でアイドルモードにあり、他のネットワークスライス内で接続モードにあるため、接続モードが管理するのが困難であることが回避でき、ネットワーク管理効率が改善できる。
【００５６】
第５の態様を参照して、第５の態様の第１の可能な実現方式では、ターゲットネットワークスライスは第３のコアネットワークエンティティを更に含み、UEは、RANを使用することにより、第３のコアネットワークエンティティとデータ通信を実行する。
【００５７】
第２のコアネットワークエンティティにより、第１のコアネットワークエンティティにより送信された第２のメッセージを受信した後に、当該方法は、第２のコアネットワークエンティティにより、ユーザプレーン情報を第１のコアネットワークエンティティに送信するステップであり、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する、ステップを更に含む。
【００５８】
第５の態様の第１の可能な実現方式を参照して、第５の態様の第２の可能な実現方式では、当該方法は、第２のコアネットワークエンティティにより、第３のメッセージを第１のコアネットワークエンティティに送信するステップであり、第３のメッセージは、第４のメッセージをRANに送信するように第１のコアネットワークエンティティに対して命令するために使用され、第４のメッセージは、RANと第３のコアネットワークエンティティとの間のユーザプレーン接続を解放するようにRANに対して命令するために使用される、ステップを更に含む。
【００５９】
第５の態様の第２の可能な実現方式を参照して、第５の態様の第３の可能な実現方式では、第２のコアネットワークエンティティにより、第３のメッセージを第１のコアネットワークエンティティに送信する前に、当該方法は、第２のコアネットワークエンティティにより、第３のコアネットワークエンティティにより送信された第５のメッセージを受信するステップであり、第５のメッセージは、UEが予め設定された持続時間内にデータを受信又は送信しないことを示すために使用される、ステップ、又は第２のコアネットワークエンティティにより、UEにより送信された第６のメッセージを受信するステップであり、第６のメッセージは、ターゲットネットワークスライス内でアイドルモードに入るのを要求するために使用される、ステップを更に含む。
【００６０】
第６の態様によれば、無線通信方法が提供される。当該方法は通信システムに適用される。通信システムは、ユーザ装置UEと、無線アクセスネットワークRANと、第１のコアネットワークエンティティと、少なくとも１つのネットワークスライスとを含む。当該方法は、UEにより、第１のコアネットワークエンティティへのシグナリング接続を確立するステップと、UEにより、第１のメッセージを第１のコアネットワークエンティティに送信するステップであり、第１のメッセージは、ターゲットネットワークスライス内で接続モードに入るのを要求するために使用され、ターゲットネットワークスライスは第２のコアネットワークエンティティを含み、UEは、RAN及び第１のコアネットワークエンティティを使用することにより、第２のコアネットワークエンティティと非アクセス層NAS通信を実行し、それにより、第１のコアネットワークエンティティは、第１のメッセージに基づいて、UEのモードをアイドルモードから接続モードに変更するのを要求するために使用される第２のメッセージを第２のコアネットワークエンティティに送信し、それにより、第２のコアネットワークエンティティは、UEが接続モードに入ることを可能にするために、第２のメッセージに基づいて、UEへのNAS接続を確立する、ステップとを含む。
【００６１】
したがって、この出願における無線通信方法によれば、ユーザ装置は、ターゲットネットワークスライス内で接続モードに入るのを要求するためのメッセージを、ユーザ装置への接続を確立したコアネットワークエンティティに送信し、それにより、コアネットワークエンティティは、ユーザ装置のモードを接続モードに変更するために、メッセージに基づいて、ターゲットネットワークスライス内のコアネットワークエンティティと相互作用する。このように、UEが或るネットワークスライス内でアイドルモードにあり、他のネットワークスライス内で接続モードにあるため、接続モードが管理するのが困難であることが回避でき、ネットワーク管理効率が改善できる。
【００６２】
第６の態様を参照して、第６の態様の第１の可能な実現方式では、当該方法は、UEにより、第１のコアネットワークエンティティにより送信された第３のメッセージを受信するステップであり、第３のメッセージは、UEがターゲットネットワークスライス内で接続モードに入ったことを通知するために使用される、ステップを更に含む。
【００６３】
第７の態様によれば、コアネットワークエンティティが提供され、前述の第１の態様及び第１の態様の可能な実現方式のうちいずれか１つにおける方法を実行するように構成される。具体的には、コアネットワークエンティティは、前述の第１の態様及び第１の態様の可能な実現方式のうちいずれか１つにおける方法を実行するように構成されたユニットを含む。
【００６４】
第８の態様によれば、コアネットワークエンティティが提供され、前述の第２の態様及び第２の態様の可能な実現方式のうちいずれか１つにおける方法を実行するように構成される。具体的には、コアネットワークエンティティは、前述の第２の態様及び第２の態様の可能な実現方式のうちいずれか１つにおける方法を実行するように構成されたユニットを含む。
【００６５】
第９の態様によれば、ユーザ装置が提供され、前述の第３の態様及び第３の態様の可能な実現方式のうちいずれか１つにおける方法を実行するように構成される。具体的には、ユーザ装置は、前述の第３の態様及び第３の態様の可能な実現方式のうちいずれか１つにおける方法を実行するように構成されたユニットを含む。
【００６６】
第１０の態様によれば、コアネットワークエンティティが提供され、前述の第４の態様及び第４の態様の可能な実現方式のうちいずれか１つにおける方法を実行するように構成される。具体的には、コアネットワークエンティティは、前述の第４の態様及び第４の態様の可能な実現方式のうちいずれか１つにおける方法を実行するように構成されたユニットを含む。
【００６７】
第１１の態様によれば、コアネットワークエンティティが提供され、前述の第５の態様及び第５の態様の可能な実現方式のうちいずれか１つにおける方法を実行するように構成される。具体的には、コアネットワークエンティティは、前述の第５の態様及び第５の態様の可能な実現方式のうちいずれか１つにおける方法を実行するように構成されたユニットを含む。
【００６８】
第１２の態様によれば、ユーザ装置が提供され、前述の第６の態様における方法を実行するように構成される。具体的には、ユーザ装置は、前述の第６の態様及び第６の態様の可能な実現方式のうちいずれか１つにおける方法を実行するように構成されたユニットを含む。
【００６９】
第１３の態様によれば、プロセッサと、メモリと、トランシーバとを含むコアネットワークエンティティが提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、コアネットワークエンティティは、前述の第１の態様及び第１の態様の可能な実現方式のうちいずれか１つにおける方法を実行する。
【００７０】
第１４の態様によれば、プロセッサと、メモリと、トランシーバとを含むコアネットワークエンティティが提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、コアネットワークエンティティは、前述の第２の態様及び第２の態様の可能な実現方式のうちいずれか１つにおける方法を実行する。
【００７１】
第１５の態様によれば、プロセッサと、メモリと、トランシーバとを含むユーザ装置が提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、ユーザ装置は、前述の第３の態様及び第３の態様の可能な実現方式のうちいずれか１つにおける方法を実行する。
【００７２】
第１６の態様によれば、プロセッサと、メモリと、トランシーバとを含むコアネットワークエンティティが提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、コアネットワークエンティティは、前述の第４の態様及び第４の態様の可能な実現方式のうちいずれか１つにおける方法を実行する。
【００７３】
第１７の態様によれば、プロセッサと、メモリと、トランシーバとを含むコアネットワークエンティティが提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、コアネットワークエンティティは、前述の第５の態様及び第５の態様の可能な実現方式のうちいずれか１つにおける方法を実行する。
【００７４】
第１８の態様によれば、プロセッサと、メモリと、トランシーバとを含むユーザ装置が提供される。プロセッサ、メモリ及びトランシーバは、バスシステムを使用することにより接続される。メモリは命令を記憶するように構成される。プロセッサは、メモリに記憶された命令を実行するように構成され、それにより、情報を受信して情報を送信するようにトランシーバを制御し、それにより、ユーザ装置は、前述の第６の態様及び第６の態様の可能な実現方式のうちいずれか１つにおける方法を実行する。
【００７５】
第１９の態様によれば、コンピュータ読み取り可能媒体が提供され、コンピュータプログラムを記憶するように構成される。コンピュータプログラムは、第１の態様及び第１の態様の可能な実現方式のうちいずれか１つにおける方法を実行するために使用される命令を含む。
【００７６】
第２０の態様によれば、コンピュータ読み取り可能媒体が提供され、コンピュータプログラムを記憶するように構成される。コンピュータプログラムは、第２の態様及び第２の態様の可能な実現方式のうちいずれか１つにおける方法を実行するために使用される命令を含む。
【００７７】
第２１の態様によれば、コンピュータ読み取り可能媒体が提供され、コンピュータプログラムを記憶するように構成される。コンピュータプログラムは、第３の態様及び第３の態様の可能な実現方式のうちいずれか１つにおける方法を実行するために使用される命令を含む。
【００７８】
第２２の態様によれば、コンピュータ読み取り可能媒体が提供され、コンピュータプログラムを記憶するように構成される。コンピュータプログラムは、第４の態様及び第４の態様の可能な実現方式のうちいずれか１つにおける方法を実行するために使用される命令を含む。
【００７９】
第２３の態様によれば、コンピュータ読み取り可能媒体が提供され、コンピュータプログラムを記憶するように構成される。コンピュータプログラムは、第５の態様及び第５の態様の可能な実現方式のうちいずれか１つにおける方法を実行するために使用される命令を含む。
【００８０】
第２４の態様によれば、コンピュータ読み取り可能媒体が提供され、コンピュータプログラムを記憶するように構成される。コンピュータプログラムは、第６の態様及び第６の態様の可能な実現方式のうちいずれか１つにおける方法を実行するために使用される命令を含む。
【図面の簡単な説明】
【００８１】
本発明の実施例における技術的解決策をより明確に説明するために、以下に、本発明の実施例を説明するために必要な添付図面について簡単に説明する。明らかに、以下の説明における添付図面は、本発明の単にいくつかの実施例を示しているに過ぎず、当業者は、創造的取り組みなしに、依然としてこれらの添付図面から他の図面を導き得る。
【図１】本発明の実施例による通信システムのアーキテクチャの概略図である。
【図２】本発明の実施例による無線通信方法の概略フローチャートである。
【図３】本発明の実施例による無線通信方法の他の概略フローチャートである。
【図４Ａ】本発明の実施例による無線通信方法の更に他の概略フローチャートである。
【図４Ｂ】本発明の実施例による無線通信方法の更に他の概略フローチャートである。
【図５】本発明の実施例による位置更新方法の概略フローチャートである。
【図６】本発明の実施例に従ってUEのモードを接続モードからアイドルモードに変更するための方法の概略フローチャートである。
【図７】本発明の実施例に従ってUEのモードをアイドルモードから接続モードに変更するための方法の概略フローチャートである。
【図８】本発明の実施例に従ってUEのモードをアイドルモードから接続モードに変更するための方法の他の概略フローチャートである。
【図９】本発明の実施例に従ってUEのモードをアイドルモードから接続モードに変更するための方法の更に他の概略フローチャートである。
【図１０】本発明の実施例に従ってUEのモードをアイドルモードから接続モードに変更するための方法の更に他の概略フローチャートである。
【図１１】本発明の実施例によるコアネットワークエンティティの概略ブロック図である。
【図１２】本発明の他の実施例によるコアネットワークエンティティの概略ブロック図である。
【図１３】本発明の実施例によるユーザ装置の概略ブロック図である。
【図１４】本発明の更に他の実施例によるコアネットワークエンティティの概略ブロック図である。
【図１５】本発明の更に他の実施例によるコアネットワークエンティティの概略ブロック図である。
【図１６】本発明の他の実施例によるユーザ装置の概略ブロック図である。
【図１７】本発明の更に他の実施例によるコアネットワークエンティティの概略ブロック図である。
【図１８】本発明の更に他の実施例によるコアネットワークエンティティの概略ブロック図である。
【図１９】本発明の更に他の実施例によるユーザ装置の概略ブロック図である。
【図２０】本発明の他の実施例による無線通信方法の概略フローチャートである。
【図２１】本発明の具体的な実施例による無線通信方法の概略フローチャートである。
【図２２】本発明の更に他の実施例による無線通信方法の概略フローチャートである。
【図２３】本発明の他の具体的な実施例による無線通信方法の概略フローチャートである。
【図２４】本発明の更に他の実施例による無線通信方法の概略フローチャートである。
【図２５】本発明の更に他の実施例によるコアネットワークエンティティの概略ブロック図である。
【図２６】本発明の更に他の実施例によるコアネットワークエンティティの概略ブロック図である。
【図２７】本発明の更に他の実施例によるユーザ装置の概略ブロック図である。
【図２８】本発明の更に他の実施例によるコアネットワークエンティティの概略ブロック図である。
【図２９】本発明の更に他の実施例によるユーザ装置の概略ブロック図である。
【発明を実施するための形態】
【００８２】
以下に、本発明の実施例における添付図面を参照して、本発明の実施例における技術的解決策について明確且つ完全に説明する。明らかに、説明する実施例は、本発明の実施例の全てではなく一部である。創造的取り組みなしに本発明の実施例に基づいて当業者により取得される全ての他の実施例は、本発明の保護範囲内に入るものとする。
【００８３】
本発明の実施例の技術的解決策は、グローバル・システム・フォー・モバイル・コミュニケーションズ（Global  System  of  Mobile  Communication,  略称「GSM」）システム、符号分割多元接続（Code  Division  Multiple  Access,  略称「CDMA」）システム、広帯域符号分割多元接続（Wideband  Code  Division  Multiple  Access,  略称「WCDMA」）システム、ロングタームエボリューション（Long  Term  Evolution,  略称「LTE」）システム、LTE周波数分割複信（Frequency  Division  Duplex,  略称「FDD」）システム、LTE時分割複信（Time  Division  Duplex,  略称「TDD」）、ユニバーサル移動通信システム（Universal  Mobile  Telecommunications  System,  略称「UMTS」）及び将来の5G通信システムのような様々な通信システムに適用されてもよい。
【００８４】
本発明の実施例では、ユーザ装置（User  Equipment,  略称「UE」）は、端末デバイス、移動局（Mobile  Station,  略称「MS」）、移動端末（Mobile  Terminal）等とも呼ばれてもよい。ユーザ装置は、無線アクセスネットワーク（Radio  Access  Network,  略称「RAN」）を使用することにより、１つ以上のコアネットワークと通信してもよい。例えば、ユーザ装置は、移動電話（又は「セルラ」電話と呼ばれる）又は移動端末を有するコンピュータでもよい。例えば、ユーザ装置は、ポータブル、ポケットサイズ、ハンドヘルド型、コンピュータ内蔵若しくは車載のモバイル装置、将来の5Gシステムにおける端末デバイス若しくは将来の進化型PLMNネットワークにおける端末デバイス、又は前述の端末デバイス内の通信チップでもよい。
【００８５】
第３世代パートナーシッププロジェクト（3rd  Generation  Partnership  Project,  略称「3GPP」）の既存の標準の解決策は、UEが複数のネットワークスライス（Network  Slicing）に同時にアクセスするシナリオをサポートする。UEが複数のNetwork  Slicingに同時にアクセスする通信プロセスにおいて、UEは、非アクセス層（Non-Access  Stratum,  略称「NAS」）メッセージを伝送するために、各Network  Slicing内でコアネットワークエンティティへのシグナリング接続を確立する必要があり、その結果、ネットワーク内に大量のシグナリングが存在する。さらに、UEは、或るNetwork  Slicing内でアイドル（Idle）モードにあってもよく、他のNetwork  Slicing内で接続（Connected）モードにあってもよく、その結果、無線アクセスネットワーク（Radio  Access  Network,  略称「RAN」）側において接続モードを管理するのが困難である。
【００８６】
このことを鑑みて、UEが複数のNetwork  Slicingに同時にアクセスするシナリオにおいて生成されるシグナリング量を低減し、UEが或るNetwork  Slicing内でIdleモードにあり、他のNetwork  Slicing内でConnectedモードにあるため、接続モードが管理するのが困難であるという問題を回避し、ネットワーク管理効率を改善するための無線通信方法が提供され得る。
【００８７】
図１は、本発明の実施例による通信システムのアーキテクチャの概略図を示す。図１に示すように、通信システムは、ユーザ装置（User  Equipment,  略称「UE」）と、無線アクセスネットワーク（Radio  Access  Network,  略称「RAN」）と、モビリティ管理機能（Mobility  Management  Function,  略称「MMF」）と、複数のネットワークスライス（Network  Slicing）とを含む（図１は、２つのNetwork  Slicing、すなわち、Network  Slicing  1及びNetwork  Slicing  2を示す）。Network  Slicingは、制御プレーン（Control  Plane,  略称「CP」）機能（Function）と、ユーザプレーン（User  Plane,  略称「UP」）Functionと、データベース（Database）とを含む。モビリティ管理機能MMF、UP  Function及びUP  Functionはコアネットワークエンティティと呼ばれてもよい。本発明におけるエンティティの名前は、単に説明の便宜上のためのものに過ぎず、全く限定を構成しない。
【００８８】
図１に示すように、UEは、インタフェースN1を使用することによりMMFに接続され、UEは、インタフェースN2を使用することによりRANに接続され、RANは、インタフェースN3を使用することによりMMFに接続され、MMFは、インタフェースN4を使用することによりNetwork  Slicing  1内のCP  Function及びNetwork  Slicing  2内のCP  Functionに接続され、CP  Functionは、インタフェースN5を使用することによりUP  Functionに接続され、CP  Functionは、インタフェースN6を使用することによりDatabaseに接続される。インタフェースのシリアル番号は、単に説明の便宜上のためのものに過ぎず、インタフェースタイプを限定するために使用されない。
【００８９】
図１に示す通信システムにおいて、CP  Functionは、UE登録及びセッション管理の役目をし、UP  Functionは、UEの具体的なサービスを運ぶように構成され、Databaseは、UE識別子、シリアル番号、ルーティング情報、セキュリティ情報、位置情報及びプロフィール（Profile）情報のようなUEに関する情報を記憶するように構成される。MMFは、UEの位置エリア管理、接続モード（アイドル（Idle）モード及び接続（Connected）モードを含む）管理及びハンドオーバ（Handover）管理の役目をする。UEは、RAN及びMMFを使用することにより、Network  Slicing内のCP  FunctionとNAS通信を実行し、UEは、RANを使用することにより、Network  Slicing内のUP  Functionとデータ通信を実行する。
【００９０】
本発明のこの実施例では、ネットワークスライスは、サービス要件に基づいてネットワークをセグメント化することにより取得される。例えば、モノのインターネットの通信サービスについて、この種類の通信サービスは膨大な数のユーザ装置を伴い、各ユーザ装置は、極めて小さい量の情報を伝送し、希に移動し、したがって、多数のデバイスを制御でき且つ比較的弱い機能のモビリティ管理モジュールを有する制御プレーンエンティティと、比較的弱いデータ転送能力を有するユーザプレーンエンティティとが、Network  Slicingにグループ化されてもよい。モバイルブロードバンド（Mobile  Broadband,  略称「MBB」）サービスについて、この種類のサービスでは、ユーザ装置は、モビリティ管理及びサービス品質（Quality  of  Service,  略称「QoS」）に対して高い要件を有し、したがって、比較的強い機能のモビリティ管理モジュールを有する制御プレーンエンティティと、比較的強いデータ転送能力を有するユーザプレーンエンティティとが、Network  Slicingにグループ化されてもよい。工業的用途のサービスについて、比較的弱い機能のモビリティ管理モジュールを有するが、ユーザ装置に比較的近い制御プレーンエンティティと、ユーザ装置に比較的近いユーザプレーンエンティティとが、Network  Slicingにグループ化されてもよい。
【００９１】
以下に、具体的な実施例を参照して、本発明の実施例における無線通信方法について説明する。本発明の実施例では、様々な「メッセージ」は、情報又はコンテンツを運ぶために使用される単なる担体に過ぎず、具体的な名前に限定されない。
【００９２】
説明を容易にするために、UEとMMFとの間のシグナリング接続は、モビリティ管理（Mobile  Management,  略称「MM」）接続と呼ばれ、MMFとCP  Functionとの間のシグナリング接続は、接続管理（Connected  Management,  略称「CM」）接続と呼ばれ、UEとCP  Functionとの間のシグナリング接続は、NAS接続と呼ばれる。MM接続は、UEのモビリティ状態を管理するために、例えば、Network  Slicing内のUEのアタッチ（Attach）状態又はデタッチ（Detach）状態を管理し、UEの最新の位置を記録するために（位置更新管理）、且つUEの接続モードを管理するために、例えば、UEとCP  Functionとの間のシグナリング接続を確立又は削除し、UEとCP  Functionとの間のシグナリング接続状態（接続又は切断）を記憶するために、MMFにより使用される。
【００９３】
図２は、本発明の実施例による無線通信方法の概略フローチャートを示す。図２に示すように、当該方法100は以下のステップを含む。
【００９４】
S110.モビリティ管理機能MMFとユーザ装置UEとの間のシグナリング接続を確立する。
【００９５】
具体的には、図３に示すように、S110は以下のステップを具体的に含んでもよい。
【００９６】
S111.UEは、UEとMMFとの間のMM接続を確立するのを要求するために、接続要求（Connection  Request）メッセージをMMFに送信する。
【００９７】
Connection  Requestメッセージは、UEを識別するためにMMFにより使用されるUE情報（Information,  略称「Info」）を含む。任意選択で、UEが最初に電源オンされる場合、UE  Infoは、UEの国際移動体加入者識別番号（International  Mobile  Subscriber  Identity,  略称「IMSI」）であり、或いはUEが最初に電源オンされない場合、UE  Infoは、一時アイデンティティであり、一時アイデンティティは、MMFによりUEに割り当てられた識別子であり、例えば、一時アイデンティティは、MMF  InfoとMMF一時移動体加入者識別番号（MMF-Temporary  Mobile  Subscriber  Identity,  略称「M-TMSI」）との組み合わせを含む。
【００９８】
S112.MMFは、UEに対して認証を実行する。
【００９９】
MMFがインタフェースを使用することによりホーム加入者サーバ（Home  Subscriber  Server,  略称「HSS」）に接続される場合、MMFは、HSSからUEの加入データのようなセキュリティコンテキスト情報を取得し、UEの取得されたセキュリティコンテキスト情報に基づいて、UEに対して認証を実行してもよい。
【０１００】
S113.MMFがUEを認証できた場合、MMFは、UEが適正であると決定し、接続応答（Connection  Response）メッセージをUEに送信し、それにより、UEとMMFとの間のMM接続を確立する。
【０１０１】
代替として、MMFとHSSとの間の接続が存在しない場合、又はUEのセキュリティコンテキスト情報を記憶する独立したHSSが存在しない場合、図４Ａに示すように、S110は以下のステップを具体的に含んでもよい。
【０１０２】
S111.UEは、UEとMMFとの間のMM接続を確立するのを要求するために、接続要求（Connection  Request）メッセージをMMFに送信する。
【０１０３】
図４ＡにおけるConnection  Requestは、UE  Infoに加えてネットワークスライス情報（Network  Slicing  Info）を更に含む。
【０１０４】
S114.MMFは、MMFがUEのセキュリティコンテキスト情報を記憶しているか否かを決定する。
【０１０５】
Network  Slicing  Infoは、UEが以前に接続したSlicingの識別子でもよい。代替として、Network  Slicing  Infoは、UEが前に接続していないSlicingの識別子でもよく、或いはUEが接続することを予期するNetwork  Slicingによりサポートされる必要があるデータ伝送要件、例えば、高帯域幅データ伝送要件、高信頼性データ伝送要件及び小規模データ伝送要件でもよい。この場合、MMFは、MMFがNetwork  Slicing  Infoにより識別されるNetwork  Slicingに関するUEのセキュリティコンテキスト情報を記憶しているか否かを決定し、UEのセキュリティコンテキスト情報が存在する場合、MMFはS118及び以降のステップを実行し、或いはUEのセキュリティコンテキスト情報が存在しない場合、MMFはS115及び以降のステップを実行する。
【０１０６】
S115.MMFは、Network  Slicing  Infoに基づいてSlicingを選択する。
【０１０７】
任意選択で、MMFは、Network  Slicing  Infoにより示されるNetwork  Slicingから、負荷が比較的低いNetwork  Slicing又は優先度が予め設定された優先度より高いNetwork  Slicingを選択する。
【０１０８】
S116.MMFは、選択されたNetwork  Slicing  1からUEのセキュリティコンテキスト情報を取得するのを要求するために、セキュリティコンテキスト情報要求（Secure  Info  Request）メッセージを選択されたSlicing内のCP  Functionに送信する。
【０１０９】
S117.Network  Slicing  1内のCP  Functionは、UEのセキュリティコンテキスト情報をMMFに返信する。
【０１１０】
S118.MMFは、UEの取得されたセキュリティコンテキスト情報に基づいて、UEに対して認証を実行する。
【０１１１】
S113.MMFがUEを認証できた場合、MMFは、UEが適正であると決定し、接続応答（Connection  Response）メッセージをUEに送信し、それにより、UEとMMFとの間のMM接続を確立する。
【０１１２】
S120.UEは、非アクセス層（Non-Access  Stratum,  略称「NAS」）コンテナ（Container）及びNetwork  Slicing  InfoをMMEに送信し、MMFは、NAS  Container内のコンテンツを解析しないか、或いは解析できない。
【０１１３】
UEは、MM接続を使用することにより、MM上りリンクトランスポート（Uplink  Transport）メッセージをMMFに送信してもよい。メッセージは、NAS  Container内のNASメッセージをNetwork  Slicing  1内のCP  Functionに転送するのをMMFに要求するために使用される。NASメッセージがアタッチ要求（Attach  Request）メッセージであることが例として使用される。MM  Uplink  Transportメッセージ内のNAS  Containerは、Attach  Requestメッセージを搬送する。任意選択で、Network  Slicing  Infoは、UEが登録するのを要求するNetwork  Slicingの識別子であり、或いはUEがアクセスするのを要求するNetwork  Slicingによりサポートされる必要があるデータ伝送要件でもよい。
【０１１４】
S130.MMFは、NAS  ContainerをNetwork  Slicing  1のCP  Functionに送信し、それにより、CP  Functionは、CP  FunctionとUEとの間のNAS接続を使用することにより、NAS  Container内のNASメッセージに基づいて、NAS通信を実行する。
【０１１５】
具体的には、図３、図４Ａ及び図４Ｂに示すように、S130は以下のステップを含む。
【０１１６】
S131.MMFは、接続管理（Connection  Management,  略称「CM」）Uplink  TransportメッセージをCP  Functionに送信し、CM  Uplink  Transportメッセージは、MMFの識別情報と、S120において受信した、Attach  Requestメッセージを含み且つUEにより送信されたNAS  Containerとを含む。
【０１１７】
具体的には、MMFは、MMFとCP  Functionとの間のCM接続を使用することにより、CM  Uplink  TransportメッセージをCP  Functionに送信する。MMFによりCP  Functionに送信されるCM  Uplink  Transportメッセージは、MMFの識別情報を含むため、UP  FunctionとUEとの間の相互作用のプロセスにおいて、UP  Functionは、MMFの記憶された識別情報に基づいて、UP  FunctionがシグナリングをUEに送信するときに使用できるMMFを決定し、使用できるMMFを使用することにより、シグナリングをUEに送信できる。
【０１１８】
任意選択で、MMFにより送信されたCM  Uplink  Transportメッセージを受信した後に、CP  Functionは、セキュリティ要件に基づいて、S139：UEにより送信されたNASメッセージに対して認証を実行することを実行する。
【０１１９】
S132.CP  Functionは、UEのためのユーザプレーン接続を確立するようにUP  Functionに対して命令する。
【０１２０】
S133.CP  Functionは、CM下りリンク（Downlink）TransportメッセージをMMFに送信する。
【０１２１】
CM  Downlink  Transportメッセージは、NASメッセージをUEに送信し、UEのためのユーザプレーン接続を確立するために使用される。メッセージは、NAS  Container及びRAN  Containerを含む。NAS  Containerは、UEに送信されるべきNASメッセージを含む。NASメッセージは、具体的にはアタッチ承認（Attach  Accept）メッセージでもよい。Attach  Acceptメッセージは、UEのAttach要求が承認されたことを示すために使用される。MMFは、NAS  Container内のコンテンツを解析しないか、或いは解析できない。RAN  Containerは、ユーザプレーン接続に関する情報を搬送する。ユーザプレーン接続に関する情報は、UP  Functionのインターネットプロトコル（Internet  Protocol,  略称「IP」）アドレス及び／又はUP  FunctionによりUEに割り当てられたトンネル識別子IDを具体的に含んでもよく、それにより、RANは、ユーザプレーン接続に関する情報に基づいて、UP  Functionへのユーザプレーン接続を確立できる。MMFは、RAN  Container内のコンテンツを解析しないか、或いは解析できない。
【０１２２】
S134.MMFは、初期コンテキスト設定要求（Initial  Context  Setup  Request）メッセージをRANに送信する。
【０１２３】
Initial  Context  Setup  Requestメッセージは、S133においてMMFにより受信されたNAS  Container及びRAN  Containerを含み、UE  Info及びNetwork  Slicing  Infoを更に含んでもよい。任意選択で、Network  Slicing  Infoは、独立した情報であるか、或いはUE  Infoで搬送され且つUE  Infoの一部である。Network  Slicing  Infoは、RANにより、UEとRANとの間のデータ無線ベアラの識別子と、RANとUP  Functionとの間の接続の接続識別子との間の対応関係を記録するために使用される。具体的には、以下の関係が記録されてもよい。
【０１２４】
UEとRANとの間のデータ無線ベアラの識別子+Network  Slicing  Info<->RANとUP  Functionとの間の接続の接続識別子
S135.RANは、無線リソース制御（Radio  Resource  Control,  略称「RRC」）接続再設定（Connection  Reconfiguration）メッセージをUEに送信する。
【０１２５】
RANによりUEに送信されるRRC  Connection  Reconfigurationメッセージは、S134において受信したNAS  Containerを含む。UEは、RRC  Connection  Reconfigurationメッセージを受信した後に、RRC接続再設定を実行し、RRC接続再設定を完了した後に、RRC再設定完了メッセージをRANに返信する。さらに、UEは、UEとRANとの間の接続の接続識別子と、サービス品質（quality  of  service,  略称「QoS」）と、Network  Slicing  Infoとの間の対応関係を記録する。
【０１２６】
S136.RANは、初期コンテキスト設定応答（Initial  Context  Setup  Response）メッセージをMMFに送信する。
【０１２７】
Initial  Context  Setup  Responseメッセージは、RAN  Container及びUE  Infoを含む。RAN  Containerは、RAN側において確立されたユーザプレーン接続に関する情報を含む。RAN側において確立されたユーザプレーン接続に関する情報は、RANの識別子及び／又はユーザプレーントンネルIDを含む。MMFは、RANにより送信されたRAN  Container内のコンテンツを解析しないか、或いは解析できない。
【０１２８】
S137.MMFは、CM  Uplink  TransportメッセージをCP  Functionに送信する。
【０１２９】
CM  Uplink  Transportメッセージは、UE  Infoと、S136において受信した、RANにより送信されたRAN  Containerとを含む。
【０１３０】
S138.CP  Functionは、ユーザプレーン変更要求をUP  Functionに送信し、UP  Functionにより送信された変更応答を受信し、ユーザプレーン変更要求は、S137において受信したRAN  Containerを搬送し、それにより、UP  Functionは、RANへのユーザプレーン接続を確立する。
【０１３１】
したがって、当該方法100の手順を使用することにより、UEは、アタッチプロセスを完了し、ネットワークスライスに登録する。UEが新たな位置エリア、例えば、新たなトラッキングエリア（Tracking  Area,  略称「TA」）（TAのTAアイデンティティ（Identity）がUEにより登録されたTAIリストに含まれない）に入ったことをUEが検出したとき、又はUEの周期的なTA更新タイマが満了したとき、位置更新プロセスがトリガーされる。図５は、本発明の実施例による位置更新方法の概略フローチャートを示す。図５に示すように、当該方法200は以下のステップを含む。
【０１３２】
S210.UEは、MMトラッキングエリア更新（tracking  area  update,  略称「TAU」）要求メッセージを新（New）MMFに送信する。
【０１３３】
MM  TAU要求メッセージは、UEが現在位置している位置エリアと、旧（Old）MMFによりUEに割り当てられた一時アイデンティティとを搬送する。一時アイデンティティは、Old  MMFの識別子を含む。New  MMFは、Old  MMFの識別子に基づいて、Old  MMFを決定する。
【０１３４】
S220.New  MMFは、Old  MMFからUEのコンテキスト情報を要求する。
【０１３５】
S230.Old  MMFは、UEのコンテキスト情報をNew  MMFに返信する。
【０１３６】
具体的には、UEのコンテキスト情報は、UEの識別情報、UEのセキュリティコンテキスト情報、UEの加入情報及びNetwork  Slicing  Infoを含む。Network  Slicing  Infoは、UEが現在登録しているNetwork  Slicingについての情報と、各Network  Slicing内のCP  Functionのアドレスとを含む。図５に示すように、Network  Slicing  Infoは、UEがNetwork  Slicing  1及びNetwork  Slicing  2に登録していることを示す。
【０１３７】
S240.MMFは、セッション管理（Session  Management,  略称「SM」）位置通知（Location  Notification）メッセージを、Network  Slicing  Infoにより示されるNetwork  Slicing内のCP  Functionに送信する。
【０１３８】
SM  Location  Notificationメッセージは、New  MMFについての情報（例えば、アドレス情報）を搬送し、それにより、CP  Functionは、以降、New  MMFについての情報に基づいてNew  MMFを決定し、New  MMFを使用することにより、シグナリングをUEに送信できる。
【０１３９】
S250.New  MMFは、TAU  AcceptメッセージをUEに送信し、TAU  Acceptメッセージは、New  MMFによりUEに割り当てられた一時アイデンティティを含む。
【０１４０】
任意選択で、S240において、New  MMFは、UEに関するTAU情報をHSSに通知し且つUEがNew  MMFにより現在サービス提供されていることをHSSに通知するために、位置更新メッセージをHSSに送信する。HSSは、UEが他の位置にローミングされたことをOld  MMFに通知し且つUEに関する情報を削除するのをOld  MMFに要求するために、位置削除情報をOld  MMFに送信する。Old  MMFは、HSSの位置削除要求に応答するために、位置削除確認メッセージをHSSに送信する。この実現方式では、CP  Functionは、HSSを使用することにより、UEに現在サービス提供しているMMFを見つける必要があり、見つかったMMFを使用することにより、シグナリングをUEに送信する。
【０１４１】
任意選択で、UEが当該方法100の手順を使用することによりアタッチプロセスを完了してネットワークスライスに登録した後に、UEが或る期間内にデータを受信又は送信しない場合、又はUEがアイドル（Idle）モードに入るのを予期する場合、UEを接続（Connected）モードからIdleモードに切り替える手順がトリガーされる。図６は、本発明の実施例に従ってUEをConnectedモードからIdleモードに切り替えるための方法を示す。図６に示すように、当該方法300は以下のステップを含む。
【０１４２】
S310.CP  Functionは、UEがConnectedモードからIdleモードに切り替える必要があると決定する。
【０１４３】
具体的には、UP  Functionが、UEが或る期間内にデータを受信又は送信しないと決定した場合、UP  Functionは、指示情報をCP  Functionに送信する。CP  Functionは、指示情報に基づいて、UEがCM  Idleモードに入る必要があると決定する。代替として、UEがNetwork  Slicing内でIdleモードに入るのを予期し、NAS解放要求メッセージをCP  Functionに送信し、CP  Functionは、NAS解放要求メッセージに基づいて、UEがCM  Idleモードに入る必要があると決定する。
【０１４４】
S320.CP  Functionは、CM  UEコンテキスト解放（Context  Release）メッセージをMMFに送信する。
【０１４５】
CM  UE  Context  Releaseメッセージを受信した後に、MMFは、ローカルに記憶されたUEのコンテキスト情報を削除する。
【０１４６】
S330.MMFは、コンテキスト解放メッセージをRANに送信する。
【０１４７】
MMFにより送信されたコンテキストメッセージを受信した後に、RANは、RANとUP  Functionとの間のユーザプレーン接続を解放する。
【０１４８】
さらに、UEがIdleモードに入るのを要求するNetwork  Slicingが、UEがConnectedモードにある最後のNetwork  SlicingであるとMMFが決定した場合、S330においてMMFによりRANに送信されるコンテキスト解放メッセージは、RRC  Release指示メッセージを含む。この場合、RANは、RRC  Release指示情報に基づいて、RANとUEとの間の制御プレーン接続及びユーザプレーン接続を解放する。
【０１４９】
S340.RANは、MM  UE  Context  Release  CompleteメッセージをMMFに送信する。
【０１５０】
S350.MMFは、CM  Context  Release  CompleteメッセージをCP  Functionに送信する。
【０１５１】
UEは、当該方法300の前述の手順を使用することにより、ConnectedモードからIdleモードに切り替える。
【０１５２】
UEがConnectedモードからIdleモードに切り替えた後に、UEがサービス提供される必要があるとき、例えば、UEが呼を開始するか或いは呼を受けたとき、UEをIdleモードからConnectedモードに切り替える手順がトリガーされる。図７は、本発明の実施例に従ってUEをIdleモードからConnectedモードに切り替える方法を示す。図７に示すように、当該方法400は以下を含む。
【０１５３】
S410.MMFは、ユーザ装置UEがNetwork  Slicing  1内でIdleモードからConnectedモードに切り替える必要があると決定する。
【０１５４】
S420.MMFは、CMサービス要求（Service  Request）メッセージをCP  Functionに送信する。
【０１５５】
CM  Service  Requestメッセージは、UEのモードをConnectedモードに変更するのを要求するために使用される。
【０１５６】
さらに、図８に示すように、当該方法400は以下のステップを更に含む。
【０１５７】
S430.CP  Functionは、CM  Downlink  TransportメッセージをMMFに送信する。
【０１５８】
具体的には、CP  Functionは、CP  Functionにより記憶された情報からUEのコンテキスト情報を取得する。UEのコンテキスト情報は、UEのベアラ情報と、CP  Functionにより各ベアラに割り当てられたトンネルIDとを含む。次に、CP  Functionは、CM  Downlink  TransportメッセージをMMFに送信する。CM  Downlink  Transportメッセージは、NAS  Container及びRAN  Containerを含む。NAS  Containerは、UEに送信されるべきNASメッセージを含む。NASメッセージは、具体的には、接続指示（Connected  Indication）情報でもよい。Connected  Indication情報は、UEが、CP  Functionが位置するNetwork  Slicing  1内で接続モードに入ったことを通知するために使用される。UEは、MMFを使用することにより、メッセージをCP  Functionに送信してもよい。RAN  Containerは、ユーザプレーン接続に関する情報を搬送する。ユーザプレーン接続に関する情報は、CP  Functionへのユーザプレーン接続を確立したUP  FunctionのIPアドレス及び／又はUP  FunctionによりUEに割り当てられたトンネルIDを含み、それにより、RANは、ユーザプレーン接続に関する情報に基づいて、UEのためのユーザプレーン接続を確立する。MMFは、RAN  Container内のコンテンツを解析しないか、或いは解析できない。
【０１５９】
S440.MMFは、初期コンテキスト設定要求（Initial  Context  Setup  Request）メッセージをRANに送信する。
【０１６０】
Initial  Context  Setup  Requestメッセージは、S430において受信したNAS  Container及びRAN  Containerを含む。Initial  Context  Setup  Requestメッセージは、UE  Info及びNetwork  Slicing  Infoを更に搬送してもよい。Network  Slicing  Infoは、独立した情報でもよく、或いはUE  Infoで搬送され且つUE  Infoの一部でもよい。Network  Slicing  Infoは、RANにより、UEとRANとの間のユーザプレーンベアラの識別子と、RANとUP  Functionとの間の接続の接続識別子との間の対応関係を記録するために使用される。具体的には、以下の関係が記録されてもよい。
【０１６１】
UEとRANとの間のユーザプレーンベアラの識別子+Network  Slicing  Info<->RANとUP  Functionとの間の接続の接続識別子
S450.RANは、RRC  Connection  ReconfigurationメッセージをUEに送信する。
【０１６２】
RANによりUEに送信されるRRC  Connection  Reconfigurationメッセージは、S440において受信した、MMFにより送信されたNAS  Containerを含む。UEは、RRC  Connection  Reconfigurationメッセージを受信した後に、RRC接続再設定を実行し、RRC接続再設定を完了した後に、RRC再設定完了メッセージをRANに返信する。さらに、UEは、UEとRANとの間のユーザプレーン接続の接続識別子と、サービス品質（quality  of  service,  略称「QoS」）と、Network  Slicing  Infoとの間の対応関係を記録する。
【０１６３】
S460.RANは、Initial  Context  Setup  ResponseメッセージをMMFに送信する。
【０１６４】
S470.MMFは、CM  Uplink  TransportメッセージをCP  Functionに送信する。
【０１６５】
S460の具体的な実現方法はS136のものと同じである。S470の具体的な実現方法はS137のものと同じである。繰り返しを避けるために、詳細はここでは再び説明しない。
【０１６６】
任意選択で、S450の後に、UEはデータを送信する。具体的には、アプリケーションレイヤにおいてデータ要求を受信した後に、UEは、データに対応するQoS及びNetwork  Slicing  Infoを決定し、データを、UEとRANとの間のデータ無線ベアラであり、QoSに対応するデータ無線ベアラに送信する。データは、Network  Slicing  Infoを搬送する。RANは、以前に記憶された対応関係、すなわち、UEとRANとの間のデータ無線ベアラの識別子+Network  Slicing  Info<->RANとUP  Functionとの間の接続の接続識別子に基づいて、RANとUP  Functionとの間のユーザプレーン接続であり、使用される必要があるユーザプレーン接続を決定し、データをユーザプレーン接続に送信する。
【０１６７】
具体的には、図９に示すように、UEが呼を開始するため、UEをIdleモードからConnectedモードに切り替える手順がトリガーされたとき、当該方法400は以下を更に含む。
【０１６８】
S401.UEは、MMFへの接続を確立する。
【０１６９】
S401の具体的な実現方法はS110のものと同じである。繰り返しを避けるために、詳細はここでは再び説明しない。
【０１７０】
S402.UEは、MM  Service  RequestメッセージをMMFに送信する。
【０１７１】
MM  Service  Requestメッセージは、接続モードに入るのを要求するために使用され、MM  Service  Requestメッセージは、UE  Info及びNetwork  Slicing  Infoを含む。この場合、S410において、MMFは、Network  Slicing  Infoに基づいて、UEが接続を確立するのを要求するNetwork  Slicing  1を決定してもよい。
【０１７２】
代替として、図１０に示すように、UEが呼を受けるため、UEをIdleモードからConnectedモードに切り替える手順がトリガーされたとき、当該方法400は以下を更に含む。
【０１７３】
S403.UP  Functionは下りリンクデータを受信する。
【０１７４】
S404.UP  Functionは、下りリンクデータ通知（Downlink  Data  Notification）メッセージをCP  Functionに送信する。
【０１７５】
Downlink  Data  Notificationメッセージは、CP  Functionが位置するNetwork  Slicing  1内のUP  Functionが、ネットワークにより送信され且つ宛先IPアドレスがUEのIPアドレスである下りリンクデータを受信したが、下りリンクデータをUEに伝送するために使用されるユーザプレーン接続が存在しないことをCP  Functionに通知するために使用される。
【０１７６】
S405.CP  Functionは、CM  Downlink  Data  NotificationメッセージをMMFに送信する。
【０１７７】
CM  Downlink  Data  Notificationメッセージは、UEのモードがConnectedモードに変更される必要があることをMMFに通知するために使用される。
【０１７８】
さらに、S420が実行される前に、MMFは、UEへの接続が確立されるか否かを決定する必要があり、接続が確立された場合、S420及び以降のステップが直接実行され、或いは現在接続がMMFとUEとの間に確立されていない場合、MMFは、UEに対してページングを開始し、S401における具体的な方法に従ってUEへのMM接続を確立し、次に、S420及び以降のステップが実行される。
【０１７９】
図２〜図１０を参照して、本発明の実施例による無線通信方法について詳細に前述し、図１１を参照して、本発明の実施例によるコアネットワークエンティティについて詳細に以下に説明する。コアネットワークエンティティは通信システムに適用される。通信システムは、ユーザ装置UEと、無線アクセスネットワークRANと、コアネットワークエンティティと、少なくとも１つのネットワークスライスとを含む。図１１に示すように、コアネットワークエンティティ10は、
UEへのシグナリング接続を確立するように構成された処理ユニット11と、
シグナリング接続上でUEにより送信されたネットワークスライス情報及び非アクセス層NASメッセージを受信するように構成されたトランシーバユニット12と
を含む。
【０１８０】
トランシーバユニット12は、ネットワークスライス情報に基づいて、少なくとも１つのネットワークスライスからターゲットネットワークスライスを決定するように更に構成され、ターゲットネットワークスライスは第２のコアネットワークエンティティを含み、UEは、RAN及びコアネットワークエンティティを使用することにより、第２のコアネットワークエンティティとNAS通信を実行する。
【０１８１】
トランシーバユニット12は、NASメッセージを第２のコアネットワークエンティティに送信するように更に構成される。
【０１８２】
したがって、本発明のこの実施例によるコアネットワークエンティティは、UEのNASメッセージを複数のネットワークスライス内のコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０１８３】
本発明のこの実施例では、任意選択で、ネットワークスライス情報は、ネットワークスライス識別子又はネットワークスライスがサポートする必要があるデータ伝送要件である。
【０１８４】
処理ユニット11は、ネットワークスライス識別子に対応するネットワークスライスをターゲットネットワークスライスとして決定するか、或いはデータ伝送要件をサポートするネットワークスライスをターゲットネットワークスライスとして決定するように具体的に構成される。
【０１８５】
本発明のこの実施例では、任意選択で、NASメッセージはアタッチ要求メッセージである。トランシーバユニット12は、アタッチ要求メッセージ及びコアネットワークエンティティの識別情報を第２のコアネットワークエンティティに送信するように具体的に構成され、それにより、アタッチ要求メッセージに基づいてUEをターゲットネットワークスライスに登録した後に、第２のコアネットワークエンティティは、コアネットワークエンティティの識別情報に基づいて、NASメッセージをUEに送信する。
【０１８６】
本発明のこの実施例では、任意選択で、ターゲットネットワークスライスは第３のコアネットワークエンティティを更に含み、UEは、RANを使用することにより、第３のコアネットワークエンティティとデータ通信を実行する。
【０１８７】
トランシーバユニット12がアタッチ要求メッセージ及びコアネットワークエンティティの識別情報を第２のコアネットワークエンティティに送信した後に、トランシーバユニット12は、第２のコアネットワークエンティティにより送信されたユーザプレーン情報を受信し、ユーザプレーン情報は、RANにより、第３のコアネットワークエンティティへのユーザプレーン接続を確立するために使用され、ユーザプレーン情報をRANに送信し、それにより、RANは、ユーザプレーン情報に基づいて、第３のコアネットワークエンティティへのユーザプレーン接続を確立する、ように更に構成される。
【０１８８】
本発明のこの実施例では、任意選択で、トランシーバユニット12は、ネットワークスライス情報をRANに送信するように更に構成され、それにより、RANは、RANとUEとの間のデータ無線ベアラDRBにネットワークスライス情報を加えたものと、RANと第３のコアネットワークエンティティとの間のユーザプレーン接続との間の対応関係を記憶する。
【０１８９】
本発明のこの実施例では、任意選択で、トランシーバユニット12は、UEにより送信された第１の位置更新要求メッセージを受信するように更に構成され、第１の位置更新要求メッセージは、UEの一時アイデンティティを搬送し、第１の位置更新要求メッセージは、UEが現在位置している位置エリアをコアネットワークエンティティに通知するために使用され、一時アイデンティティは、UEが第１の位置更新要求メッセージをコアネットワークエンティティに送信する前にUEにサービス提供するコアネットワークエンティティによりUEに割り当てられ、
処理ユニット11は、UEの一時アイデンティティに基づいて、UEが現在登録しているネットワークスライス内の第４のコアネットワークエンティティを決定するように更に構成され、
トランシーバユニット12は、コアネットワークエンティティの識別情報を第４のコアネットワークエンティティに送信するように更に構成され、それにより、第４のコアネットワークエンティティは、コアネットワークエンティティの識別情報に基づいて、NASメッセージをUEに送信する。
【０１９０】
本発明のこの実施例によるコアネットワークエンティティ10は、本発明の実施例による方法におけるMMFに対応してもよい。さらに、コアネットワークエンティティ10におけるユニット及びモジュールと、前述及び他の動作及び／又は機能とは、それぞれ方法100及び方法200の対応する手順を実現することを意図する。簡潔にするために、詳細はここでは説明しない。
【０１９１】
本発明のこの実施例によるコアネットワークエンティティは、UEのNASメッセージを複数のネットワークスライス内のコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０１９２】
図１２を参照して、本発明の他の実施例によるコアネットワークエンティティについて詳細に以下に説明する。コアネットワークエンティティは通信システムに適用される。通信システムは、ユーザ装置UEと、無線アクセスネットワークRANと、第１のコアネットワークエンティティと、少なくとも１つのネットワークスライスとを含む。少なくとも１つのネットワークスライス内のターゲットネットワークスライスはコアネットワークエンティティを含む。UEは、RAN及び第１のコアネットワークエンティティを使用することにより、コアネットワークエンティティと非アクセス層NAS通信を実行する。図１２に示すように、コアネットワークエンティティ20は、
第１のコアネットワークエンティティにより送信されたNASメッセージを受信するように構成されたトランシーバユニット21であり、ターゲットネットワークスライスは、UEにより送信されたネットワークスライス情報に基づいて第１のコアネットワークエンティティにより決定され、NASメッセージは、UEにより第１のコアネットワークエンティティに送信される、トランシーバユニット21と、
NASメッセージに基づいて、UEとNAS通信を実行するように構成された処理ユニット22と
を含む。
【０１９３】
したがって、本発明のこの実施例によるコアネットワークエンティティは、ネットワークスライスの外部のコアネットワークエンティティにより転送されたUEのNASメッセージを受信でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０１９４】
本発明のこの実施例では、任意選択で、NASメッセージはアタッチ要求メッセージである。
【０１９５】
トランシーバユニット21は、第１のコアネットワークエンティティにより送信されたアタッチ要求メッセージ及び第１のコアネットワークエンティティの識別情報を受信するように具体的に構成される。処理ユニット22は、アタッチ要求メッセージに基づいて、UEをターゲットネットワークスライスに登録するように具体的に構成される。トランシーバユニット21は、第１のコアネットワークエンティティの識別情報に基づいて、NASメッセージをUEに送信するように具体的に構成される。
【０１９６】
本発明のこの実施例では、任意選択で、ターゲットネットワークスライスは第３のコアネットワークエンティティを更に含み、UEは、RANを使用することにより、第３のコアネットワークエンティティとデータ通信を実行する。
【０１９７】
トランシーバユニット21が第１のコアネットワークエンティティにより送信されたアタッチ要求メッセージ及び第１のコアネットワークエンティティの識別情報を受信した後に、トランシーバユニット21は、ユーザプレーン情報を第１のコアネットワークエンティティに送信するように更に構成され、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する。
【０１９８】
本発明のこの実施例によるコアネットワークエンティティ20は、本発明の実施例による方法におけるCP  Functionに対応してもよい。さらに、コアネットワークエンティティ20におけるユニット及びモジュールと、前述及び他の動作及び／又は機能とは、それぞれ方法100及び方法200の対応する手順を実現することを意図する。簡潔にするために、詳細はここでは説明しない。
【０１９９】
本発明のこの実施例によるコアネットワークエンティティは、ネットワークスライスの外部のコアネットワークエンティティにより転送されたUEのNASメッセージを受信でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０２００】
図１３は、本発明の実施例によるユーザ装置を示す。ユーザ装置は通信システムに適用され、通信システムは、ユーザ装置UEと、無線アクセスネットワークRANと、第１のコアネットワークエンティティと、少なくとも１つのネットワークスライスとを含む。図１３に示すように、ユーザ装置30は、
第１のコアネットワークエンティティへのシグナリング接続を確立するように構成された処理ユニット31と、
ネットワークスライス情報及び非アクセス層NASメッセージを第１のコアネットワークエンティティに送信するように構成されたトランシーバユニット32であり、それにより、第１のコアネットワークエンティティは、ネットワークスライス情報に基づいて、少なくとも１つのネットワークスライスからターゲットネットワークスライスを決定し、NASメッセージをターゲットネットワークスライス内の第２のコアネットワークエンティティに送信し、ユーザ装置は、RAN及び第１のコアネットワークエンティティを使用することにより、第２のコアネットワークエンティティとNAS通信を実行する、トランシーバユニット32と
を含む。
【０２０１】
したがって、この実施例によるユーザ装置は、ネットワークスライス情報及びNASメッセージを、UEへの接続を確立したコアネットワークエンティティに送信し、それにより、コアネットワークエンティティは、ユーザ装置により送信されたネットワークスライス情報に基づいて、UEにサービス提供するターゲットネットワークスライスを決定し、NASメッセージをターゲットネットワークスライス内のコアネットワークエンティティに送信する。このように、１つのコアネットワークエンティティは、UEのNASメッセージを複数のネットワークスライスのコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０２０２】
本発明のこの実施例では、任意選択で、ネットワークスライス情報は、ネットワークスライス識別子又はネットワークスライスがサポートする必要があるデータ伝送要件である。
【０２０３】
本発明のこの実施例では、任意選択で、NASメッセージはアタッチ要求メッセージである。
【０２０４】
本発明のこの実施例によるユーザ装置30は、本発明の実施例による方法におけるユーザ装置に対応してもよい。さらに、ユーザ装置30におけるユニット及びモジュールと、前述及び他の動作及び／又は機能とは、それぞれ方法100及び方法200の対応する手順を実現することを意図する。簡潔にするために、詳細はここでは説明しない。
【０２０５】
図１４は、本発明の更に他の実施例によるコアネットワークエンティティを示す。コアネットワークエンティティは無線通信システムに適用され、通信システムは、ユーザ装置UEと、無線アクセスネットワークRANと、コアネットワークエンティティと、少なくとも１つのネットワークスライスとを含む。図１４に示すように、コアネットワークエンティティ40は、
UEが少なくとも１つのネットワークスライス内のターゲットネットワークスライス内でアイドルモードから接続モードに変更する必要があると決定するように構成された処理ユニット41であり、ターゲットネットワークスライスは第２のコアネットワークエンティティを含み、UEは、RAN及びコアネットワークエンティティを使用することにより、第２のコアネットワークエンティティと非アクセス層NAS通信を実行する、処理ユニット41と、
第１のメッセージを第２のコアネットワークエンティティに送信するように構成されたトランシーバユニット42であり、第１のメッセージは、UEのモードをアイドルモードから接続モードに変更するのを要求するために使用され、それにより、第２のコアネットワークエンティティは、UEが接続モードに入ることを可能にするために、第１のメッセージに基づいて、UEへのNAS接続を確立する、トランシーバユニット42と
を含む。
【０２０６】
したがって、UEがターゲットネットワークスライス内でアイドルモードから接続モードに変更する必要があると決定したとき、本発明のこの実施例によるコアネットワークエンティティは、UEのモードを接続モードに変更するのを要求するためのメッセージをターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEへの制御プレーン接続を確立できる。このように、UEが或るネットワークスライス内でアイドルモードにあり、他のネットワークスライス内で接続モードにあるため、接続モードが管理するのが困難であることが回避でき、ネットワーク管理効率が改善できる。
【０２０７】
本発明のこの実施例では、任意選択で、ターゲットネットワークスライスは第３のコアネットワークエンティティを更に含み、UEは、RANを使用することにより、第３のコアネットワークエンティティとデータ通信を実行する。
【０２０８】
トランシーバユニット42が第１のメッセージを第２のコアネットワークエンティティに送信した後に、トランシーバユニット42は、第２のコアネットワークエンティティにより送信されたユーザプレーン情報を受信し、ユーザプレーン情報は、RANにより、第３のコアネットワークエンティティへのユーザプレーン接続を確立するために使用され、ユーザプレーン情報をRANに送信し、それにより、ターゲットRANは、ユーザプレーン情報に基づいて、第３のコアネットワークエンティティへのユーザプレーン接続を確立する、ように更に構成される。
【０２０９】
本発明のこの実施例では、任意選択で、トランシーバユニット42は、UEにより送信された第２のメッセージを受信するように更に構成され、第２のメッセージはネットワークスライス情報を含み、第２のメッセージは、UEにより、ネットワークスライス情報により示されるネットワークスライス内で接続モードに入るのを要求するために使用され、
処理ユニット41は、第２のメッセージに基づいて、UEがネットワークスライス情報により示されるネットワークスライス内でアイドルモードから接続モードに変更する必要があると決定するように具体的に構成される。
【０２１０】
本発明のこの実施例では、任意選択で、トランシーバユニット42は、第２のコアネットワークエンティティにより送信された第３のメッセージを受信するように更に構成され、第３のメッセージは、第２のコアネットワークエンティティがUEに送信されるべきデータを有することを示すために使用されるか、或いは第３のメッセージは、第２のコアネットワークエンティティがUEとNAS通信を実行する必要があることを示すために使用され、
処理ユニット41は、第３のメッセージに基づいて、UEがターゲットネットワークスライス内でアイドルモードから接続モードに変更する必要があると決定するように具体的に構成され、
トランシーバユニット42は、処理ユニット41がコアネットワークエンティティとUEとの間にシグナリング接続が確立されたと決定した場合、第１のメッセージを第２のコアネットワークエンティティに送信するように具体的に構成される。
【０２１１】
本発明のこの実施例では、任意選択で、トランシーバユニット42は、処理ユニット41がコアネットワークエンティティとUEとの間にシグナリング接続が確立されていないと決定した場合、ページングメッセージをUEに送信し、ページングメッセージに基づいてUEにより送信された第４のメッセージを受信し、第４のメッセージは、コアネットワークエンティティへのシグナリング接続を確立するのを要求するために使用され、第４のメッセージに基づいて、UEへのシグナリング接続を確立し、UEへのシグナリング接続が確立された後に、第１のメッセージを第２のコアネットワークエンティティに送信する、ように更に構成される。
【０２１２】
本発明のこの実施例では、任意選択で、トランシーバユニット42は、第２のコアネットワークエンティティにより送信された第５のメッセージを受信するように更に構成され、第５のメッセージは、第６のメッセージをRANに送信するようにコアネットワークエンティティに対して命令するために使用され、第６のメッセージは、RANと第３のコアネットワークエンティティとの間のユーザプレーン接続を解放するようにRANに対して命令するために使用される。
【０２１３】
本発明のこの実施例では、任意選択で、トランシーバユニット42が第２のコアネットワークエンティティにより送信された第５のメッセージを受信した後に、処理ユニット41が、UEがターゲットネットワークスライス内でのみ接続モードにあると決定した場合、第６のメッセージは、RANとUEとの間の制御プレーン接続及びユーザプレーン接続を解放するようにRANに対して命令するために使用される接続解放情報を含む。
【０２１４】
本発明のこの実施例では、任意選択で、トランシーバユニット42は、第７のメッセージをUEに送信するように更に構成され、第７のメッセージは、UEがターゲットネットワークスライス内で接続モードに入ったことを通知するために使用される。
【０２１５】
本発明のこの実施例によるコアネットワークエンティティ40は、本発明の実施例による方法におけるMMFに対応してもよい。さらに、コアネットワークエンティティ40におけるユニット及びモジュールと、前述及び他の動作及び／又は機能とは、それぞれ方法300及び方法400の対応する手順を実現することを意図する。簡潔にするために、詳細はここでは説明しない。
【０２１６】
UEがターゲットネットワークスライス内でアイドルモードから接続モードに変更する必要があると決定したとき、本発明のこの実施例によるコアネットワークエンティティは、UEのモードを接続モードに変更するのを要求するためのメッセージをターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEへの制御プレーン接続を確立できる。このように、UEが或るネットワークスライス内でアイドルモードにあり、他のネットワークスライス内で接続モードにあるため、接続モードが管理するのが困難であることが回避でき、ネットワーク管理効率が改善できる。
【０２１７】
図１５は、本発明の更に他の実施例によるコアネットワークエンティティを示す。コアネットワークエンティティは通信システムに適用される。通信システムは、ユーザ装置UEと、無線アクセスネットワークRANと、第１のコアネットワークエンティティと、少なくとも１つのネットワークスライスとを含む。少なくとも１つのネットワークスライス内のターゲットネットワークスライスはコアネットワークエンティティを含む。UEは、RAN及び第１のコアネットワークエンティティを使用することにより、コアネットワークエンティティと非アクセス層NAS通信を実行する。図１５に示すように、コアネットワークエンティティ50は、
第１のメッセージを第１のコアネットワークエンティティに送信するように構成されたトランシーバユニット51であり、第１のメッセージは、コアネットワークエンティティがUEに送信されるべきデータを有することを示すために使用されるか、或いは第１のメッセージは、コアネットワークエンティティがUEとNAS通信を実行する必要があることを示すために使用され、それにより、第１のコアネットワークエンティティは、第１のメッセージに基づいて、UEがターゲットネットワークスライス内でアイドルモードから接続モードに変更する必要があると決定し、
トランシーバユニット51は、第１のコアネットワークエンティティにより送信された第２のメッセージを受信するように更に構成され、第２のメッセージは、UEのモードをアイドルモードから接続モードに変更するのを要求するために使用される、トランシーバユニット51と、
UEが接続モードに入ることを可能にするために、第２のメッセージに基づいて、UEへのNAS接続を確立するように構成された処理ユニット52と
を含む。
【０２１８】
したがって、本発明のこの実施例によるコアネットワークエンティティは、ユーザ装置UEのモードを接続モードに変更するのを要求するためのメッセージであり、コアネットワークエンティティが属するネットワークスライスの外部のコアネットワークエンティティにより送信されたメッセージを受信し、UEが接続モードに入ることを可能にするために、メッセージに基づいて、UEへの制御プレーン接続を確立する。このように、UEが或るネットワークスライス内でアイドルモードにあり、他のネットワークスライス内で接続モードにあるため、接続モードが管理するのが困難であることが回避でき、ネットワーク管理効率が改善できる。
【０２１９】
本発明のこの実施例では、任意選択で、ターゲットネットワークスライスは第３のコアネットワークエンティティを更に含み、UEは、RANを使用することにより、第３のコアネットワークエンティティとデータ通信を実行する。
【０２２０】
トランシーバユニット51が第１のコアネットワークエンティティにより送信された第２のメッセージを受信した後に、トランシーバユニット51は、ユーザプレーン情報を第１のコアネットワークエンティティに送信するように更に構成され、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する。
【０２２１】
本発明のこの実施例では、任意選択で、トランシーバユニット51は、第３のメッセージを第１のコアネットワークエンティティに送信するように更に構成され、第３のメッセージは、第４のメッセージをRANに送信するように第１のコアネットワークエンティティに対して命令するために使用され、第４のメッセージは、RANと第３のコアネットワークエンティティとの間のユーザプレーン接続を解放するようにRANに対して命令するために使用される。
【０２２２】
本発明のこの実施例では、任意選択で、トランシーバユニット51が第３のメッセージを第１のコアネットワークエンティティに送信する前に、トランシーバユニット51は、第３のコアネットワークエンティティにより送信された第５のメッセージを受信し、第５のメッセージは、UEが予め設定された持続時間内にデータを受信又は送信しないことを示すために使用されるか、或いはUEにより送信された第６のメッセージを受信し、第６のメッセージは、ターゲットネットワークスライス内でアイドルモードに入るのを要求するために使用される、ように更に構成される。
【０２２３】
本発明のこの実施例によるコアネットワークエンティティ50は、本発明の実施例による方法におけるCP  Functionに対応してもよい。さらに、コアネットワークエンティティ50におけるユニット及びモジュールと、前述及び他の動作及び／又は機能とは、それぞれ方法300及び方法400の対応する手順を実現することを意図する。簡潔にするために、詳細はここでは説明しない。
【０２２４】
本発明のこの実施例によるコアネットワークエンティティは、ユーザ装置UEのモードを接続モードに変更するのを要求するためのメッセージであり、コアネットワークエンティティが属するネットワークスライスの外部のコアネットワークエンティティにより送信されたメッセージを受信し、UEが接続モードに入ることを可能にするために、メッセージに基づいて、UEへの制御プレーン接続を確立する。このように、UEが或るネットワークスライス内でアイドルモードにあり、他のネットワークスライス内で接続モードにあるため、接続モードが管理するのが困難であることが回避でき、ネットワーク管理効率が改善できる。
【０２２５】
図１６は、本発明の他の実施例によるユーザ装置を示す。ユーザ装置は通信システムに適用され、通信システムは、ユーザ装置と、無線アクセスネットワークRANと、第１のコアネットワークエンティティと、少なくとも１つのネットワークスライスとを含む。図１６に示すように、ユーザ装置60は、
第１のコアネットワークエンティティへのシグナリング接続を確立するように構成された処理ユニット61と、
第１のメッセージを第１のコアネットワークエンティティに送信するように構成されたトランシーバユニット62であり、第１のメッセージは、ターゲットネットワークスライス内で接続モードに入るのを要求するために使用され、ターゲットネットワークスライスは第２のコアネットワークエンティティを含み、ユーザ装置は、RAN及び第１のコアネットワークエンティティを使用することにより、第２のコアネットワークエンティティと非アクセス層NAS通信を実行し、それにより、第１のコアネットワークエンティティは、第１のメッセージに基づいて、ユーザ装置のモードをアイドルモードから接続モードに変更するのを要求するために使用される第２のメッセージを第２のコアネットワークエンティティに送信し、それにより、第２のコアネットワークエンティティは、ユーザ装置が接続モードに入ることを可能にするために、第２のメッセージに基づいて、ユーザ装置へのNAS接続を確立する、トランシーバユニット62と
を含む。
【０２２６】
したがって、本発明のこの実施例によるユーザ装置は、ターゲットネットワークスライス内で接続モードに入るのを要求するためのメッセージを、ユーザ装置への接続を確立したコアネットワークエンティティに送信し、それにより、コアネットワークエンティティは、ユーザ装置のモードを接続モードに変更するために、メッセージに基づいて、ターゲットネットワークスライス内のコアネットワークエンティティと相互作用する。このように、UEが或るネットワークスライス内でアイドルモードにあり、他のネットワークスライス内で接続モードにあるため、接続モードが管理するのが困難であることが回避でき、ネットワーク管理効率が改善できる。
【０２２７】
本発明のこの実施例では、任意選択で、トランシーバユニット62は、第１のコアネットワークエンティティにより送信された第３のメッセージを受信するように更に構成され、第３のメッセージは、ユーザ装置がターゲットネットワークスライス内で接続モードに入ったことを通知するために使用される。
【０２２８】
本発明のこの実施例によるユーザ装置60は、本発明の実施例による方法におけるユーザ装置に対応してもよい。さらに、ユーザ装置60におけるユニット及びモジュールと、前述及び他の動作及び／又は機能とは、それぞれ方法300及び方法400の対応する手順を実現することを意図する。簡潔にするために、詳細はここでは説明しない。
【０２２９】
図１７は、本発明の実施例によるコアネットワークエンティティ100の概略ブロック図を示す。コアネットワークエンティティは通信システムに適用され、通信システムは、ユーザ装置UEと、無線アクセスネットワークRANと、コアネットワークエンティティと、少なくとも１つのネットワークスライスとを含む。図１７に示すように、コアネットワークエンティティ100は、プロセッサ110と、トランシーバ120とを含む。プロセッサ110はトランシーバ120に接続される。任意選択で、コアネットワークエンティティ100はメモリ130を更に含む。メモリ130はプロセッサ110に接続される。さらに、任意選択で、コアネットワークエンティティ100はバスシステム140を含む。プロセッサ110、メモリ130及びトランシーバ120は、バスシステム140を使用することにより接続されてもよい。メモリ130は、命令を記憶するように構成されてもよい。プロセッサ110は、メモリ130に記憶された命令を実行するように構成され、それにより、情報又は信号を送信するようにトランシーバ120を制御する。
【０２３０】
プロセッサ110は、UEへのシグナリング接続を確立するように構成される。
【０２３１】
トランシーバ120は、シグナリング接続上でUEにより送信されたネットワークスライス情報及び非アクセス層NASメッセージを受信するように構成される。
【０２３２】
トランシーバ120は、ネットワークスライス情報に基づいて、少なくとも１つのネットワークスライスからターゲットネットワークスライスを決定するように更に構成され、ターゲットネットワークスライスは第２のコアネットワークエンティティを含み、UEは、RAN及びコアネットワークエンティティを使用することにより、第２のコアネットワークエンティティとNAS通信を実行する。
【０２３３】
トランシーバは、NASメッセージを第２のコアネットワークエンティティに送信するように更に構成される。
【０２３４】
任意選択で、実施例では、ネットワークスライス情報は、ネットワークスライス識別子又はネットワークスライスがサポートする必要があるデータ伝送要件である。
【０２３５】
プロセッサ110は、ネットワークスライス識別子に対応するネットワークスライスをターゲットネットワークスライスとして決定するか、或いはデータ伝送要件をサポートするネットワークスライスをターゲットネットワークスライスとして決定するように具体的に構成される。
【０２３６】
任意選択で、実施例では、NASメッセージはアタッチ要求メッセージである。
【０２３７】
トランシーバ120は、アタッチ要求メッセージ及びコアネットワークエンティティの識別情報を第２のコアネットワークエンティティに送信するように具体的に構成され、それにより、アタッチ要求メッセージに基づいてUEをターゲットネットワークスライスに登録した後に、第２のコアネットワークエンティティは、コアネットワークエンティティの識別情報に基づいて、NASメッセージをUEに送信する。
【０２３８】
任意選択で、実施例では、ターゲットネットワークスライスは第３のコアネットワークエンティティを更に含み、UEは、RANを使用することにより、第３のコアネットワークエンティティとデータ通信を実行する。
【０２３９】
トランシーバ120がアタッチ要求メッセージ及びコアネットワークエンティティの識別情報を第２のコアネットワークエンティティに送信した後に、トランシーバ120は、第２のコアネットワークエンティティにより送信されたユーザプレーン情報を受信し、ユーザプレーン情報は、RANにより、第３のコアネットワークエンティティへのユーザプレーン接続を確立するために使用され、ユーザプレーン情報をRANに送信し、それにより、RANは、ユーザプレーン情報に基づいて、第３のコアネットワークエンティティへのユーザプレーン接続を確立する、ように更に構成される。
【０２４０】
任意選択で、実施例では、トランシーバ120は、ネットワークスライス情報をRANに送信するように更に構成され、それにより、RANは、RANとUEとの間のデータ無線ベアラDRBにネットワークスライス情報を加えたものと、RANと第３のコアネットワークエンティティとの間のユーザプレーン接続との間の対応関係を記憶する。
【０２４１】
任意選択で、実施例では、トランシーバ120は、UEにより送信された第１の位置更新要求メッセージを受信するように更に構成され、第１の位置更新要求メッセージは、UEの一時アイデンティティを搬送し、第１の位置更新要求メッセージは、UEが現在位置している位置エリアをコアネットワークエンティティに通知するために使用され、一時アイデンティティは、UEが第１の位置更新要求メッセージをコアネットワークエンティティに送信する前にUEにサービス提供するコアネットワークエンティティによりUEに割り当てられ、
プロセッサ110は、UEの一時アイデンティティに基づいて、UEが現在登録しているネットワークスライス内の第４のコアネットワークエンティティを決定するように更に構成され、
トランシーバ120は、コアネットワークエンティティの識別情報を第４のコアネットワークエンティティに送信するように更に構成され、それにより、第４のコアネットワークエンティティは、コアネットワークエンティティの識別情報に基づいて、NASメッセージをUEに送信する。
【０２４２】
本発明のこの実施例によるコアネットワークエンティティ100は、本発明の実施例による方法におけるMMFに対応してもよい。さらに、コアネットワークエンティティ100におけるユニット及びモジュールと、前述及び他の動作及び／又は機能とは、それぞれ方法100及び方法200の対応する手順を実現することを意図する。簡潔にするために、詳細はここでは説明しない。
【０２４３】
本発明のこの実施例によるコアネットワークエンティティは、UEのNASメッセージを複数のネットワークスライス内のコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０２４４】
代替として、プロセッサ110は、UEが少なくとも１つのネットワークスライス内のターゲットネットワークスライス内でアイドルモードから接続モードに変更する必要があると決定するように構成され、ターゲットネットワークスライスは第２のコアネットワークエンティティを含み、UEは、RAN及びコアネットワークエンティティを使用することにより、第２のコアネットワークエンティティと非アクセス層NAS通信を実行し、
トランシーバ120は、第１のメッセージを第２のコアネットワークエンティティに送信するように構成され、第１のメッセージは、UEのモードをアイドルモードから接続モードに変更するのを要求するために使用され、それにより、第２のコアネットワークエンティティは、UEが接続モードに入ることを可能にするために、第１のメッセージに基づいて、UEへのNAS接続を確立する。
【０２４５】
任意選択で、実施例では、ターゲットネットワークスライスは第３のコアネットワークエンティティを更に含み、UEは、RANを使用することにより、第３のコアネットワークエンティティとデータ通信を実行する。
【０２４６】
トランシーバ120が第１のメッセージを第２のコアネットワークエンティティに送信した後に、トランシーバ120は、第２のコアネットワークエンティティにより送信されたユーザプレーン情報を受信し、ユーザプレーン情報は、RANにより、第３のコアネットワークエンティティへのユーザプレーン接続を確立するために使用され、ユーザプレーン情報をRANに送信し、それにより、ターゲットRANは、ユーザプレーン情報に基づいて、第３のコアネットワークエンティティへのユーザプレーン接続を確立する、ように更に構成される。
【０２４７】
任意選択で、実施例では、トランシーバ120は、UEにより送信された第２のメッセージを受信するように更に構成され、第２のメッセージはネットワークスライス情報を含み、第２のメッセージは、UEにより、ネットワークスライス情報により示されるネットワークスライス内で接続モードに入るのを要求するために使用され、
プロセッサ110は、第２のメッセージに基づいて、UEがネットワークスライス情報により示されるネットワークスライス内でアイドルモードから接続モードに変更する必要があると決定するように具体的に構成される。
【０２４８】
任意選択で、実施例では、トランシーバ120は、第２のコアネットワークエンティティにより送信された第３のメッセージを受信するように更に構成され、第３のメッセージは、第２のコアネットワークエンティティがUEに送信されるべきデータを有することを示すために使用されるか、或いは第３のメッセージは、第２のコアネットワークエンティティがUEとNAS通信を実行する必要があることを示すために使用され、
プロセッサ110は、第３のメッセージに基づいて、UEがターゲットネットワークスライス内でアイドルモードから接続モードに変更する必要があると決定するように具体的に構成され、
トランシーバ120は、プロセッサ110がコアネットワークエンティティとUEとの間にシグナリング接続が確立されたと決定した場合、第１のメッセージを第２のコアネットワークエンティティに送信するように具体的に構成される。
【０２４９】
任意選択で、実施例では、トランシーバ120は、プロセッサ110がコアネットワークエンティティとUEとの間にシグナリング接続が確立されていないと決定した場合、ページングメッセージをUEに送信し、ページングメッセージに基づいてUEにより送信された第４のメッセージを受信し、第４のメッセージは、コアネットワークエンティティへのシグナリング接続を確立するのを要求するために使用され、第４のメッセージに基づいて、UEへのシグナリング接続を確立し、UEへのシグナリング接続が確立された後に、第１のメッセージを第２のコアネットワークエンティティに送信する、ように更に構成される。
【０２５０】
任意選択で、トランシーバ120は、第２のコアネットワークエンティティにより送信された第５のメッセージを受信するように更に構成され、第５のメッセージは、第６のメッセージをRANに送信するようにコアネットワークエンティティに対して命令するために使用され、第６のメッセージは、RANと第３のコアネットワークエンティティとの間のユーザプレーン接続を解放するようにRANに対して命令するために使用される。
【０２５１】
任意選択で、トランシーバ120が第２のコアネットワークエンティティにより送信された第５のメッセージを受信した後に、トランシーバ120が、UEがターゲットネットワークスライス内でのみ接続モードにあると決定した場合、第６のメッセージは、RANとUEとの間の制御プレーン接続及びユーザプレーン接続を解放するようにRANに対して命令するために使用される接続解放情報を含む。
【０２５２】
任意選択で、トランシーバ120は、第７のメッセージをUEに送信するように更に構成され、第７のメッセージは、UEがターゲットネットワークスライス内で接続モードに入ったことを通知するために使用される。
【０２５３】
本発明のこの実施例によるコアネットワークエンティティ100は、本発明の実施例による方法におけるMMFに対応してもよい。さらに、コアネットワークエンティティ100におけるユニット及びモジュールと、前述及び他の動作及び／又は機能とは、それぞれ方法300及び方法400の対応する手順を実現することを意図する。簡潔にするために、詳細はここでは説明しない。
【０２５４】
UEがターゲットネットワークスライス内でアイドルモードから接続モードに変更する必要があると決定したとき、本発明のこの実施例によるコアネットワークエンティティは、UEのモードを接続モードに変更するのを要求するためのメッセージをターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEへの制御プレーン接続を確立できる。このように、UEが或るネットワークスライス内でアイドルモードにあり、他のネットワークスライス内で接続モードにあるため、接続モードが管理するのが困難であることが回避でき、ネットワーク管理効率が改善できる。
【０２５５】
図１８は、本発明の更に他の実施例によるコアネットワークエンティティ200の概略ブロック図を示す。コアネットワークエンティティは通信システムに適用される。通信システムは、ユーザ装置UEと、無線アクセスネットワークRANと、第１のコアネットワークエンティティと、少なくとも１つのネットワークスライスとを含む。少なくとも１つのネットワークスライス内のターゲットネットワークスライスはコアネットワークエンティティを含む。UEは、RAN及び第１のコアネットワークエンティティを使用することにより、コアネットワークエンティティと非アクセス層NAS通信を実行する。図１８に示すように、コアネットワークエンティティ200は、プロセッサ210と、トランシーバ220とを含む。プロセッサ210はトランシーバ220に接続される。任意選択で、コアネットワークエンティティ200はメモリ230を更に含む。メモリ230はプロセッサ210に接続される。さらに、任意選択で、コアネットワークエンティティ200はバスシステム240を含む。プロセッサ210、メモリ230及びトランシーバ220は、バスシステム240を使用することにより接続されてもよい。メモリ230は、命令を記憶するように構成されてもよい。プロセッサ210は、メモリ230に記憶された命令を実行するように構成され、それにより、情報又は信号を送信するようにトランシーバ220を制御する。
【０２５６】
トランシーバ220は、第１のコアネットワークエンティティにより送信されたNASメッセージを受信するように構成され、ターゲットネットワークスライスは、UEにより送信されたネットワークスライス情報に基づいて第１のコアネットワークエンティティにより決定され、NASメッセージは、UEにより第１のコアネットワークエンティティに送信される。
【０２５７】
プロセッサ210は、NASメッセージに基づいて、UEとNAS通信を実行するように構成される。
【０２５８】
任意選択で、実施例では、NASメッセージはアタッチ要求メッセージである。
【０２５９】
トランシーバ220は、第１のコアネットワークエンティティにより送信されたアタッチ要求メッセージ及び第１のコアネットワークエンティティの識別情報を受信するように具体的に構成される。
【０２６０】
プロセッサ210は、アタッチ要求メッセージに基づいて、UEをターゲットネットワークスライスに登録するように具体的に構成され、トランシーバ220は、第１のコアネットワークエンティティの識別情報に基づいて、NASメッセージをUEに送信するように具体的に構成される。
【０２６１】
任意選択で、実施例では、ターゲットネットワークスライスは第３のコアネットワークエンティティを更に含み、UEは、RANを使用することにより、第３のコアネットワークエンティティとデータ通信を実行する。
【０２６２】
トランシーバ220が第１のコアネットワークエンティティにより送信されたアタッチ要求メッセージ及び第１のコアネットワークエンティティの識別情報を受信した後に、トランシーバ220は、ユーザプレーン情報を第１のコアネットワークエンティティに送信するように更に構成され、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する。
【０２６３】
本発明のこの実施例によるコアネットワークエンティティ200は、本発明の実施例による方法におけるCP  Functionに対応してもよい。さらに、コアネットワークエンティティ200におけるユニット及びモジュールと、前述及び他の動作及び／又は機能とは、それぞれ方法100及び方法200の対応する手順を実現することを意図する。簡潔にするために、詳細はここでは説明しない。
【０２６４】
本発明のこの実施例によるコアネットワークエンティティは、ネットワークスライスの外部のコアネットワークエンティティにより転送されたUEのNASメッセージを受信でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０２６５】
代替として、トランシーバ220は、第１のメッセージを第１のコアネットワークエンティティに送信するように構成され、第１のメッセージは、コアネットワークエンティティがUEに送信されるべきデータを有することを示すために使用されるか、或いは第１のメッセージは、コアネットワークエンティティがUEとNAS通信を実行する必要があることを示すために使用され、それにより、第１のコアネットワークエンティティは、第１のメッセージに基づいて、UEがターゲットネットワークスライス内でアイドルモードから接続モードに変更する必要があると決定する。
【０２６６】
トランシーバ220は、第１のコアネットワークエンティティにより送信された第２のメッセージを受信するように更に構成され、第２のメッセージは、UEのモードをアイドルモードから接続モードに変更するのを要求するために使用される。
【０２６７】
プロセッサ210は、UEが接続モードに入ることを可能にするために、第２のメッセージに基づいて、UEへのNAS接続を確立するように構成される。
【０２６８】
任意選択で、実施例では、ターゲットネットワークスライスは第３のコアネットワークエンティティを更に含み、UEは、RANを使用することにより、第３のコアネットワークエンティティとデータ通信を実行する。
【０２６９】
トランシーバ220が第１のコアネットワークエンティティにより送信された第２のメッセージを受信した後に、トランシーバ220は、ユーザプレーン情報を第１のコアネットワークエンティティに送信するように更に構成され、ユーザプレーン情報は、RANにより、第３のコアネットワークエンティティへのユーザプレーン接続を確立するために使用され、それにより、第１のコアネットワークエンティティは、ユーザプレーン情報をRANに送信し、RANは、ユーザプレーン情報に基づいて、第３のコアネットワークエンティティへのユーザプレーン接続を確立する。
【０２７０】
任意選択で、実施例では、トランシーバ220は、第３のメッセージを第１のコアネットワークエンティティに送信するように更に構成され、第３のメッセージは、第４のメッセージをRANに送信するように第１のコアネットワークエンティティに対して命令するために使用され、第４のメッセージは、RANと第３のコアネットワークエンティティとの間のユーザプレーン接続を解放するようにRANに対して命令するために使用される。
【０２７１】
任意選択で、実施例では、トランシーバ220が第３のメッセージを第１のコアネットワークエンティティに送信する前に、トランシーバ220は、第３のコアネットワークエンティティにより送信された第５のメッセージを受信し、第５のメッセージは、UEが予め設定された持続時間内にデータを受信又は送信しないことを示すために使用されるか、或いはUEにより送信された第６のメッセージを受信し、第６のメッセージは、ターゲットネットワークスライス内でアイドルモードに入るのを要求するために使用される、ように更に構成される。
【０２７２】
本発明のこの実施例によるコアネットワークエンティティ200は、本発明の実施例による方法におけるCP  Functionに対応してもよい。さらに、コアネットワークエンティティ200におけるユニット及びモジュールと、前述及び他の動作及び／又は機能とは、それぞれ方法300及び方法400の対応する手順を実現することを意図する。簡潔にするために、詳細はここでは説明しない。
【０２７３】
本発明のこの実施例によるコアネットワークエンティティは、ユーザ装置UEのモードを接続モードに変更するのを要求するためのメッセージであり、コアネットワークエンティティが属するネットワークスライスの外部のコアネットワークエンティティにより送信されたメッセージを受信し、UEが接続モードに入ることを可能にするために、メッセージに基づいて、UEへの制御プレーン接続を確立する。このように、UEが或るネットワークスライス内でアイドルモードにあり、他のネットワークスライス内で接続モードにあるため、接続モードが管理するのが困難であることが回避でき、ネットワーク管理効率が改善できる。
【０２７４】
図１９は、本発明の更に他の実施例によるユーザ装置300の概略ブロック図を示す。ユーザ装置は通信システムに適用され、通信システムは、ユーザ装置と、無線アクセスネットワークRANと、第１のコアネットワークエンティティと、少なくとも１つのネットワークスライスとを含む。図１９に示すように、ユーザ装置300は、プロセッサ310と、トランシーバ320とを含む。プロセッサ310はトランシーバ320に接続される。任意選択で、ユーザ装置300はメモリ330を更に含む。メモリ330はプロセッサ310に接続される。さらに、任意選択で、ユーザ装置300はバスシステム340を含む。プロセッサ310、メモリ330及びトランシーバ320は、バスシステム340を使用することにより接続されてもよい。メモリ330は、命令を記憶するように構成されてもよい。プロセッサ310は、メモリ330に記憶された命令を実行するように構成され、それにより、情報又は信号を送信するようにトランシーバ320を制御する。
【０２７５】
プロセッサ310は、第１のコアネットワークエンティティへのシグナリング接続を確立するように構成される。
【０２７６】
トランシーバ320は、ネットワークスライス情報及び非アクセス層NASメッセージを第１のコアネットワークエンティティに送信するように構成され、それにより、第１のコアネットワークエンティティは、ネットワークスライス情報に基づいて、少なくとも１つのネットワークスライスからターゲットネットワークスライスを決定し、NASメッセージをターゲットネットワークスライス内の第２のコアネットワークエンティティに送信し、ユーザ装置は、RAN及び第１のコアネットワークエンティティを使用することにより、第２のコアネットワークエンティティとNAS通信を実行する。
【０２７７】
任意選択で、実施例では、ネットワークスライス情報は、ネットワークスライス識別子又はネットワークスライスがサポートする必要があるデータ伝送要件である。
【０２７８】
任意選択で、実施例では、NASメッセージはアタッチ要求メッセージである。
【０２７９】
本発明のこの実施例によるユーザ装置300は、本発明の実施例による方法におけるユーザ装置に対応してもよい。さらに、ユーザ装置300におけるユニット及びモジュールと、前述及び他の動作及び／又は機能とは、それぞれ方法100及び方法200の対応する手順を実現することを意図する。簡潔にするために、詳細はここでは説明しない。
【０２８０】
この実施例によるユーザ装置は、ネットワークスライス情報及びNASメッセージを、UEへの接続を確立したコアネットワークエンティティに送信し、それにより、コアネットワークエンティティは、ユーザ装置により送信されたネットワークスライス情報に基づいて、UEにサービス提供するターゲットネットワークスライスを決定し、NASメッセージをターゲットネットワークスライス内のコアネットワークエンティティに送信する。このように、１つのコアネットワークエンティティは、UEのNASメッセージを複数のネットワークスライスのコアネットワークエンティティに転送でき、UEは、NASメッセージを伝送するために、各ネットワークスライス内のコアネットワークエンティティへのシグナリング接続を確立する必要はなく、それにより、通信プロセスにおけるシグナリング量が低減でき、ネットワーク管理及び維持効率が改善できる。
【０２８１】
代替として、プロセッサ310は、第１のコアネットワークエンティティへのシグナリング接続を確立するように構成される。
【０２８２】
トランシーバ320は、第１のメッセージを第１のコアネットワークエンティティに送信するように構成され、第１のメッセージは、ターゲットネットワークスライス内で接続モードに入るのを要求するために使用され、ターゲットネットワークスライスは第２のコアネットワークエンティティを含み、ユーザ装置は、RAN及び第１のコアネットワークエンティティを使用することにより、第２のコアネットワークエンティティと非アクセス層NAS通信を実行し、それにより、第１のコアネットワークエンティティは、第１のメッセージに基づいて、ユーザ装置のモードをアイドルモードから接続モードに変更するのを要求するために使用される第２のメッセージを第２のコアネットワークエンティティに送信し、それにより、第２のコアネットワークエンティティは、ユーザ装置が接続モードに入ることを可能にするために、第２のメッセージに基づいて、ユーザ装置へのNAS接続を確立する。
【０２８３】
任意選択で、実施例では、トランシーバ320は、第１のコアネットワークエンティティにより送信された第３のメッセージを受信するように更に構成され、第３のメッセージは、ユーザ装置がターゲットネットワークスライス内で接続モードに入ったことを通知するために使用される。
【０２８４】
本発明のこの実施例によるユーザ装置300は、本発明の実施例による方法におけるユーザ装置に対応してもよい。さらに、ユーザ装置300におけるユニット及びモジュールと、前述及び他の動作及び／又は機能とは、それぞれ方法300及び方法400の対応する手順を実現することを意図する。簡潔にするために、詳細はここでは説明しない。
【０２８５】
本発明のこの実施例によるユーザ装置は、ターゲットネットワークスライス内で接続モードに入るのを要求するためのメッセージを、ユーザ装置への接続を確立したコアネットワークエンティティに送信し、それにより、コアネットワークエンティティは、ユーザ装置のモードを接続モードに変更するために、メッセージに基づいて、ターゲットネットワークスライス内のコアネットワークエンティティと相互作用する。このように、UEが或るネットワークスライス内でアイドルモードにあり、他のネットワークスライス内で接続モードにあるため、接続モードが管理するのが困難であることが回避でき、ネットワーク管理効率が改善できる。
【０２８６】
図２０は、本発明の他の実施例による無線通信方法を示す。当該方法は無線通信システムに適用され、無線通信システムは、ユーザ装置UEと、アクセスネットワークANと、第１のコアネットワークエンティティと、少なくとも１つのネットワークスライスとを含む。図２０に示すように、当該方法500は以下を含む。
【０２８７】
S510.第１のコアネットワークエンティティは、UEにより送信された第１のメッセージを受信し、第１のメッセージは、第１のコアネットワークエンティティにより、ターゲットネットワークスライスを決定するために使用される第１の情報を含み、第１のメッセージは、ターゲットネットワークスライス内でUEのセッションを活性化するのを要求するために使用され、ターゲットネットワークスライスは第２のコアネットワークエンティティを含む。
【０２８８】
ターゲットネットワークスライスは、少なくとも１つのネットワークスライス内のネットワークスライスであることが理解できる。
【０２８９】
S520.第１のコアネットワークエンティティは、第２のメッセージを第２のコアネットワークエンティティに送信し、第２のメッセージは、UEのセッションを活性化するのを要求するために使用され、それにより、第２のコアネットワークエンティティは、第２のメッセージに基づいて、UEのユーザプレーン接続を活性化する。
【０２９０】
したがって、本発明のこの実施例における無線通信方法によれば、UEにより送信されたターゲットネットワークスライス内でセッションを活性化するのを要求するための要求を受信した後に、第１のコアネットワークエンティティは、UEのセッションを活性化するのを要求するためのメッセージを、ターゲットネットワークスライス内の第２のコアネットワークエンティティに送信し、それにより、第２のコアネットワークエンティティは、UEがターゲットネットワークスライス内で接続モードに入ることを可能にするために、第１のコアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。ここでのセッションは、PDU（Packet  Data  Unit,  プロトコルデータユニット）Sessionの省略である。PDU  Sessionは、UEと、PDU接続サービスを提供するデータネットワーク（data  network）との間の関連付け関係である。UEは、PDU  Sessionを使用することにより、データネットワークと通信する。
【０２９１】
本発明のこの実施例では、アクセスネットワークANは、無線アクセスネットワークRANと、ワイヤレスフィデリティ（Wireless  Fidelity,  略称「WiFi」）とを含む点に留意すべきである。しかし、本発明はこれに限定されない。
【０２９２】
本発明のこの実施例では、任意選択で、ターゲットネットワークスライスは第３のコアネットワークエンティティを更に含み、UEは、ANを使用することにより、第３のコアネットワークエンティティとデータ通信を実行する。第１のコアネットワークエンティティが第２のメッセージを第２のコアネットワークエンティティに送信する前に、第１のコアネットワークエンティティは、第２のコアネットワークエンティティにより送信されたユーザプレーン情報を受信し、ユーザプレーン情報は、ANにより、第３のコアネットワークエンティティへのユーザプレーン接続を確立するために使用され、第１のコアネットワークエンティティは、ユーザプレーン情報をANに送信し、それにより、ANは、ユーザプレーン情報に基づいて、第３のコアネットワークエンティティへのユーザプレーン接続を確立する。
【０２９３】
本発明のこの実施例では、任意選択で、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティ（Tenant  ID）を含む。ターゲットネットワークスライスのタイプは、ターゲットネットワークスライスがサポートするサービスのタイプ、例えば、MBB並びに低遅延及び高信頼性でもよい。
【０２９４】
本発明のこの実施例では、任意選択で、第１の情報は、第２のコアネットワークエンティティによりUEに割り当てられた識別子を含む。第１のコアネットワークエンティティが第２のメッセージを第２のコアネットワークエンティティに送信したとき、第１のコアネットワークエンティティは、第２のコアネットワークエンティティによりUEに割り当てられた識別子に基づいて、第２のコアネットワークエンティティを決定し、次に、第２のメッセージを第２のコアネットワークエンティティに送信する。第２のメッセージは、第２のコアネットワークエンティティによりUEに割り当てられた識別子を含む。
【０２９５】
本発明のこの実施例では、任意選択で、第１のメッセージはセッション情報を更に含み、第２のメッセージはセッション情報を含む。したがって、第２のコアネットワークエンティティは、第２のメッセージに基づいて、セッション情報により示されるユーザプレーン接続を活性化する。第２のコアネットワークエンティティが、第２のメッセージに基づいて、セッション情報により示されるユーザプレーン接続を活性化することは、具体的には、第２のコアネットワークエンティティが、セッション情報に対応するユーザプレーン接続のコンテキスト情報を取得し、ユーザプレーン接続活性化要求メッセージを、セッションに対応するAN及びゲートウェイに送信し、それにより、ANとゲートウェイとの間のユーザプレーン接続を活性化することである。ANは、第２のコアネットワークエンティティからの要求に基づいて、要求メッセージをUEに送信し、それにより、UEとANとの間のユーザプレーン接続を活性化する。
【０２９６】
本発明のこの実施例では、任意選択で、第２のコアネットワークエンティティがUEのユーザプレーン接続を活性化した後に、第１のコアネットワークエンティティは、第３のメッセージをUEに送信し、第３のメッセージは、ターゲットネットワークスライス内の活性状態のセッションを示すために使用される情報を含み、それにより、UEは、セッション情報に対応するセッションが活性化されたことを習得する。対応して、セッションに対応するTFT（Traffic  Flow  Template,  トラヒックフローテンプレート）が活性化される。代替として、第３のメッセージは、ターゲットネットワークスライスの識別子を含み、それにより、UEは、ターゲットネットワークスライスに対応する全てのセッションが活性化されたことを習得する。
【０２９７】
図２１は、本発明の具体的な実施例による無線通信方法を示す。図２１に示すように、当該方法600は以下のステップを含む。
【０２９８】
S610.UEは、サービス要求（Service  Request）メッセージをMMFに送信する。
【０２９９】
Service  Requestメッセージは、UEのセッションを活性化するのを要求するために使用される（或いは、これは、Service  Requestメッセージが接続モードに入るのを要求するために使用されると理解されてもよい）。Service  Requestメッセージは、UE  Info及びNetwork  Slicing  Infoを含む。UE  Infoは、MMFによりUEに割り当てられた一時アイデンティティ（ID）、又はCP  FunctionによりUEに割り当てられた一時アイデンティティである。Network  Slicing  Infoは、Network  Slicing識別子である。Network  Slicing  IDは、独立したフィールドでもよく、或いは２つのフィールド、例えば、タイプ（type）ID+テナント（Tenant）IDを含んでもよい。Network  Slicing  IDはまた、UEの一時アイデンティティに含まれてもよい。
【０３００】
任意選択で、Service  Requestメッセージは、PDU  Sessionの識別子を更に搬送する。
【０３０１】
任意選択で、Service  RequestメッセージがPDU  Sessionの識別子を搬送しない場合、Service  Requestメッセージは、データ接続を回復するか否かを示すために使用される情報を搬送する。
【０３０２】
任意選択で、Service  RequestメッセージがNetwork  Slicing  IDを搬送しない場合、メッセージは、CP  FunctionによりUEに割り当てられた識別子を搬送する。CP  FunctionによりUEに割り当てられた識別子は、Network  Slicing情報と、CP  Function情報と、UE情報とを含む。
【０３０３】
ここでのService  Requestメッセージは、単に可能なメッセージに過ぎず、サービス活性要求（Service  Active  Request）メッセージのような他のメッセージも可能でもよい。
【０３０４】
S620.MMFは、サービス要求（Service  Request）メッセージをCP  Functionに送信する。
【０３０５】
MMFは、Network  Slicing  Infoに基づいて、UEが回復するのを要求するNetwork  Slicingの接続を習得し、これは、具体的には、UEが回復するのを要求するNetwork  SlicingのPDU  Sessionである。Service  Requestメッセージは、UEのセッションを活性化するのを要求するために使用される（或いは、これは、Service  RequestメッセージがNetwork  Slicing内でUEを接続モードに回復するのを要求するために使用されると理解されてもよい）。
【０３０６】
任意選択で、S610におけるService  RequestメッセージがPDU  Session  IDを搬送する場合、S620におけるService  RequestメッセージはPDU  Session  IDを搬送し、CP  Functionは、PDU  Session  IDに対応するPDU  Sessionのみを回復する。しかし、S610におけるService  RequestメッセージがPDU  Session  IDを搬送しない場合、S620におけるService  RequestメッセージもPDU  Session  IDを搬送せず、この場合、CP  Functionは、Network  Slicing  Infoに対応するNetwork  Slicing内の全てのPDU  Sessionを回復する。
【０３０７】
任意選択で、S610におけるService  RequestメッセージがPDU  Session  IDを搬送しないが、S610におけるService  Requestメッセージがデータ接続を回復するか否かを示すために使用される情報を搬送する場合、CP  Functionは、Network  Slicing  Infoに対応するNetwork  Slicing内の全てのPDU  Sessionを回復する。
【０３０８】
S630.CP  Functionは、下りリンクトランスポート（Downlink  Transport）メッセージをMMFに送信する。
【０３０９】
Downlink  Transportメッセージは、NAS  Container及びRAN  Containerを含む。NAS  Containerは、UEに送信されるべきNASメッセージを含む。NASメッセージは、具体的には、Network  Slicing  Infoに対応するNetwork  Slicing内で回復されたPDU  SessionをUEに通知するために使用されるPDU  Session  IDでもよい。NASメッセージは、Network  Slicing  IDを更に搬送してもよい。AN  Containerは、ユーザプレーン接続に関する情報を搬送する。ユーザプレーン接続に関する情報は、CP  Functionへのユーザプレーン接続を確立したUP  FunctionのIPアドレス及び／又はUP  FunctionによりUEに割り当てられたトンネルIDを含み、それにより、ANは、ユーザプレーン接続に関する情報に基づいて、UP  Functionへのユーザプレーン接続を確立する。MMFは、RAN  Container内のコンテンツを解析しないか、或いは解析できない。
【０３１０】
S640.MMFは、初期コンテキスト設定要求（Initial  Context  Setup  Request）メッセージをANに送信する。
【０３１１】
Initial  Context  Setup  Requestメッセージは、S630において受信したNAS  Container及びRAN  Containerを含む。Initial  Context  Setup  Requestメッセージは、UE  Info及びPDU  Session  IDを更に搬送してもよく、或いはNetwork  Slicing  IDを更に搬送してもよい。Network  Slicing  IDは、独立した識別子でもよく、或いはUE  Infoで搬送され且つUE  Infoの一部でもよく、或いはPDU  Session  IDの一部でもよい。Network  Slicing  IDは、RANにより、UEとRANとの間のユーザプレーンベアラの識別子にPDU  Session  IDに対応するPDU  Session  ID’を加えたものと、ANとUP  Functionとの間の接続の識別子との間の対応関係を記録するために使用される。具体的には、以下の関係、すなわち、UEとANとの間のユーザプレーンベアラの識別子+PDU  Session  ID’<->ANとUP  Functionとの間の接続の接続識別子が記録されてもよい。代替として、Network  Slicing  IDは、ANにより、UEとANとの間のユーザプレーンベアラの識別子にPDU  Session  IDに対応するPDU  Session  ID’及びNetwork  Slicing  IDに対応するNetwork  Slicing  ID’を加えたものと、ANとUP  Functionとの間の接続の識別子との間の対応関係を記録するために使用されてもよい。具体的には、以下の関係、すなわち、UEとANとの間のユーザプレーンベアラの識別子+PDU  Session  ID’+Network  Slicing  ID’<->ANとUP  Functionとの間の接続の接続識別子が記録されてもよい。
【０３１２】
ANとUP  Functionとの間の接続の接続識別子はPDU  Session  IDでもよい。PDU  Session  ID’は、PDU  Session  IDに対応しており且つANによりUEに割り当てられた識別子でもよい。Network  Slicing  ID’は、Network  Slicing  IDに対応しており且つANによりUEに割り当てられた識別子でもよい。
【０３１３】
S650.ANは、RRC  Connection  ReconfigurationメッセージをUEに送信する。
【０３１４】
RANによりUEに送信されるRRC  Connection  Reconfigurationメッセージは、S640において受信した、MMFにより送信されたAS  Containerを含む。UEは、RRC  Connection  Reconfigurationメッセージを受信した後に、RRC接続再設定を実行し、RRC接続再設定を完了した後に、RRC再設定完了メッセージをRANに返信する。さらに、UEは、UEとANとの間のユーザプレーン接続の接続識別子にPDU  Session  IDに対応するPDU  Session  ID’を加えたものと、PDU  Session  IDとの間の対応関係を記録する。具体的には、以下の関係、すなわち、UEとANとの間のユーザプレーン接続の接続識別子+PDU  Session  ID’<->PDU  Session  IDが記録されてもよい。代替として、UEは、UEとANとの間のユーザプレーン接続の接続識別子にPDU  Session  IDに対応するPDU  Session  ID’及びNetwork  Slicing  IDに対応するNetwork  Slicing  ID’を加えたものと、PDU  Session  IDにNetwork  Slicing  IDを加えたものとの間の対応関係を記録する。具体的には、以下の関係、すなわち、UEとANとの間のユーザプレーン接続の接続識別子+PDU  Session  ID’+Network  Slicing  ID’<->PDU  Session  ID+Network  Slicing  IDが記録されてもよい。UEは、AN  Container又はAN  Container内のPDU  Session  IDに基づいて、対応するPDU  Sessionが回復したと決定し、PDU  Session  IDに対応するIPアドレス及びトラヒックフローテンプレート（Traffic  Flow  Template,  略称「TFT」）が使用できる。
【０３１５】
S660.ANは、Initial  Context  Setup  ResponseメッセージをMMFに送信する。
【０３１６】
Initial  Context  Setup  Responseメッセージは、AN  Container及びUE  Infoを含む。AN  Containerは、AN側において確立されたユーザプレーン接続に関する情報を含む。AN側において確立されたユーザプレーン接続に関する情報は、ANの識別子及び／又はユーザプレーントンネルIDを含む。MMFは、ANにより送信されたAN  Container内のコンテンツを解析しないか、或いは解析できない。
【０３１７】
S670.MMFは、Uplink  TransportメッセージをCP  Functionに送信する。
【０３１８】
Uplink  Transportメッセージは、UE  Infoと、S660において受信した、ANにより送信されたAN  Containerとを含む。
【０３１９】
UEは、S660の後にデータを送信してもよいことが理解され得る。具体的には、UEは、アプリケーションレイヤにおいてIPパケットを受信し、UEは、TFTに基づいて、IPパケットを送信するために必要なNetwork  Slicing内のPDU  Sessionを決定する。UEは、PDU  Session及びS650において記憶された対応関係に基づいて、UEとANとの間のユーザプレーン接続の接続識別子と、PDU  Session  ID’とを取得する。任意選択で、UEは、Network  Slicing  ID’を更に取得してもよい。次に、UEは、UEとANとの間のユーザプレーン接続の接続識別子に対応するユーザプレーン接続を使用することにより、データパケットをANに送信する。データパケットはPDU  Session  ID’を含む。任意選択で、データパケットはNetwork  Slicing  ID’を含む。データパケットを受信した後に、ANは、記憶された対応関係及びPDU  Session  ID’に基づいて、対応するNetwork  Slicing内のPDU  Session  IDに対応するUP  Functionを決定し、データパケットを決定されたUP  Functionに送信する。任意選択で、ANはまた、Network  Slicing  ID’に基づいて、UP  Functionを決定してもよい。
【０３２０】
図２２を参照して、本発明の更に他の実施例による無線通信方法について詳細に以下に説明する。当該方法は無線通信システムに適用され、無線通信システムは、ユーザ装置UEと、アクセスネットワークANと、第１のコアネットワークエンティティと、少なくとも１つのネットワークスライスとを含む。図２２に示すように、当該方法700は以下を含む。
【０３２１】
S710.第１のコアネットワークエンティティは、ターゲットネットワークスライス内の第２のコアネットワークエンティティにより送信された通知メッセージを受信し、通知メッセージは、第２のコアネットワークエンティティがUEに送信されるべき下りリンクデータを有することを示すために使用されるか、或いは通知メッセージは、第２のコアネットワークエンティティがUEと非アクセス層NAS通信を実行する必要があることを示すために使用される。
【０３２２】
S720.第１のコアネットワークエンティティは、第２のメッセージを第２のコアネットワークエンティティに送信し、第２のメッセージは、UEのセッションを活性化するのを要求するために使用され、それにより、第２のコアネットワークエンティティは、第２のメッセージに基づいて、UEのユーザプレーン接続を活性化する。
【０３２３】
したがって、本発明のこの実施例における無線通信方法によれば、第２のコアネットワークエンティティにより送信された通知メッセージを受信したとき、第１のコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、第１のコアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３２４】
本発明のこの実施例では、任意選択で、ターゲットネットワークスライスは第３のコアネットワークエンティティを更に含み、UEは、ANを使用することにより、第３のコアネットワークエンティティとデータ通信を実行する。第１のコアネットワークエンティティが第２のメッセージを第２のコアネットワークエンティティに送信した後に、第１のコアネットワークエンティティは、第２のコアネットワークエンティティにより送信されたユーザプレーン情報を受信し、ユーザプレーン情報は、ANにより、第３のコアネットワークエンティティへのユーザプレーン接続を確立するために使用され、第１のコアネットワークエンティティは、ユーザプレーン情報をANに送信し、それにより、ANは、ユーザプレーン情報に基づいて、第３のコアネットワークエンティティへのユーザプレーン接続を確立する。
【０３２５】
本発明のこの実施例では、任意選択で、第１のコアネットワークエンティティにより、第２のメッセージを第２のコアネットワークエンティティに送信することは、第１のコアネットワークエンティティにより、第１のコアネットワークエンティティがUEへのシグナリング接続にあること又はUEに対応する活性のセッションを有することを第１のコアネットワークエンティティが決定したとき、第２のメッセージを第２のコアネットワークエンティティに送信することを含む。
【０３２６】
本発明のこの実施例では、任意選択で、第１のコアネットワークエンティティにより、第２のメッセージを第２のコアネットワークエンティティに送信する前に、当該方法は、第１のコアネットワークエンティティにより、第１のコアネットワークエンティティがUEへのシグナリング接続にないこと又はUEに対応する活性のセッションを有さないことを第１のコアネットワークエンティティが決定したとき、ページングメッセージをUEに送信し、ページングメッセージは、UEにより、ターゲットネットワークスライスを決定するために使用される第２の情報を含み、第１のコアネットワークエンティティにより、ページングメッセージに基づいてUEにより送信された第１のメッセージを受信し、第１のメッセージは、第１のコアネットワークエンティティにより、ターゲットネットワークスライスを決定するために使用される第１の情報を含むことを更に含む。
【０３２７】
本発明のこの実施例では、任意選択で、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０３２８】
本発明のこの実施例では、任意選択で、第１の情報は、ターゲットネットワークスライスの識別子を含む。
【０３２９】
本発明のこの実施例では、任意選択で、第１の情報は、第２のコアネットワークエンティティの識別子を含み、第２のコアネットワークエンティティの識別子は、ターゲットネットワークスライスの識別子を含む。
【０３３０】
本発明のこの実施例では、任意選択で、第１の情報は、第２のコアネットワークエンティティについての情報を含み、当該方法は、第１のコアネットワークエンティティにより、第２のコアネットワークエンティティについての情報及び予め設定された対応関係に基づいて、ターゲットネットワークスライスの識別子を決定し、予め設定された対応関係は、第２のコアネットワークエンティティについての情報とネットワークスライスの識別子との間の対応関係を含むことを更に含む。
【０３３１】
本発明のこの実施例では、任意選択で、当該方法は、第１のコアネットワークエンティティにより、第３のメッセージをUEに送信し、第３のメッセージは、ターゲットネットワークスライスの識別子を含むこと、又は第１のコアネットワークエンティティにより、第３のメッセージをUEに送信し、第３のメッセージは、ターゲットネットワークスライス内の活性状態のセッションを示すために使用される情報を含むことを更に含む。
【０３３２】
図２３は、本発明の他の具体的な実施例による無線通信方法を示す。図２３に示すように、当該方法800は以下のステップを含む。
【０３３３】
S810.UP  Functionは下りリンクデータを受信する。
【０３３４】
S820.UP  Functionは、下りリンクデータ通知（Downlink  Data  Notification）メッセージをCP  Functionに送信する。
【０３３５】
Downlink  Data  Notificationメッセージは、CP  Functionが位置するNetwork  Slicing  1内のUP  Functionが、ネットワークにより送信され且つ宛先IPアドレスがUEのIPアドレスである下りリンクデータを受信したが、下りリンクデータをUEに伝送するために使用されるユーザプレーン接続が存在しないことをCP  Functionに通知するために使用される。
【０３３６】
任意選択で、Downlink  Data  Notificationメッセージは、下りリンクデータに対応するPDU  SessionのPDU  Session  IDを搬送する。
【０３３７】
S830.CP  Functionは、Downlink  Data  NotificationメッセージをMMFに送信する。
【０３３８】
任意選択で、Downlink  Data  Notificationメッセージは、下りリンクデータに対応するPDU  SessionのPDU  Session  IDを搬送する。
【０３３９】
S840.MMFは、ページングメッセージをUEに送信する。
【０３４０】
ページングメッセージは、PDU  Sessionが回復される必要があるNetwork  SlicingのIDを搬送する。
【０３４１】
任意選択で、ページングメッセージは、下りリンクデータに対応するPDU  SessionのPDU  Session  IDを搬送する。
【０３４２】
S850.ANは、Service  RequestメッセージをMMFに送信する。
【０３４３】
S850の具体的な実現方式は、方法600におけるS610のものと同じである点に留意すべきである。繰り返しを避けるために、詳細はここでは再び説明しない。
【０３４４】
S860.方法600におけるS630〜S670を実行する。
【０３４５】
図２０〜図２３を参照して、本発明の実施例による無線通信方法について、コアネットワークエンティティ側から詳細に前述した。図２４を参照して、本発明の実施例による無線通信方法について、ユーザ装置側から詳細に以下に説明する。
【０３４６】
図２４は、本発明の更に他の実施例による無線通信方法を示す。当該方法は通信システムに適用され、通信システムは、ユーザ装置UEと、アクセスネットワークANと、第１のコアネットワークエンティティと、少なくとも１つのネットワークスライスとを含む。図２４に示すように、当該方法900は以下を含む。
【０３４７】
S910.UEは、第１のメッセージを第１のコアネットワークエンティティに送信し、第１のメッセージは、第１のコアネットワークエンティティにより、ターゲットネットワークスライスを決定するために使用される第１の情報を含み、ターゲットネットワークスライスは第２のコアネットワークエンティティを含み、それにより、第１のコアネットワークエンティティは、第１のメッセージに基づいて、ターゲットネットワークスライス内でUEのセッションを活性化するのを要求するために使用される第２のメッセージを第２のコアネットワークエンティティに送信し、第２のコアネットワークエンティティは、第２のメッセージに基づいて、UEのユーザプレーン接続を活性化する。
【０３４８】
S920.UEは、活性化されたユーザプレーン接続を使用することにより、データを送信又は受信する。
【０３４９】
したがって、本発明のこの実施例における無線通信方法によれば、UEは、ターゲットネットワークスライス内でセッションを活性化するのを要求するための要求を第１のコアネットワークエンティティに送信し、それにより、UEから要求を受信したとき、第１のコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、第１のコアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３５０】
本発明のこの実施例では、任意選択で、UEにより、第１のメッセージを第１のコアネットワークエンティティに送信する前に、当該方法は、UEにより、第１のコアネットワークエンティティにより送信されたページングメッセージを受信し、ページングメッセージは、UEにより、ターゲットネットワークスライスを決定するために使用される第２の情報を含むことを更に含む。
【０３５１】
本発明のこの実施例では、任意選択で、UEにより、第１のメッセージを第１のコアネットワークエンティティに送信する前に、当該方法は、UEにより、第２のメッセージと、UEによりネットワークスライスを決定するために使用される情報と第１のコアネットワークエンティティによりネットワークスライスを決定するために使用される情報との間の対応関係とに基づいて、第２の情報を決定することを更に含む。
【０３５２】
本発明のこの実施例では、任意選択で、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティを含む。
【０３５３】
本発明のこの実施例では、任意選択で、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０３５４】
本発明のこの実施例では、任意選択で、第１の情報は、ターゲットネットワークスライスの識別子を含むか、或いは第１の情報は、第２のコアネットワークエンティティの識別子を含み、第２のコアネットワークエンティティの識別子は、ターゲットネットワークスライスの識別子を含むか、或いは第１の情報は、第２のコアネットワークエンティティについての情報を含み、第２のコアネットワークエンティティの識別子とネットワークスライスの識別子との間に対応関係が存在する。
【０３５５】
本発明のこの実施例では、任意選択で、当該方法は、UEにより、第１のコアネットワークエンティティにより送信された第３のメッセージを受信し、第３のメッセージは、ターゲットネットワークスライスの識別子を含み、UEにより、ターゲットネットワークスライスの識別子に基づいて、活性化されたセッションを決定すること、又はUEにより、第１のコアネットワークエンティティにより送信された第３のメッセージを受信し、第３のメッセージは、ターゲットネットワークスライス内で活性状態のセッションを示すために使用される情報を含み、UEにより、ターゲットネットワークスライス内で活性状態のセッションを示すために使用される情報に基づいて、活性化されたセッションを決定することを更に含む。
【０３５６】
本発明のこの実施例では、任意選択で、当該方法は、UEにより、ANにより送信された第４のメッセージを受信し、第４のメッセージは、UEとANとの間のユーザプレーン接続の識別子と、活性化されたセッション内の第１のセッションを示すために使用される識別子とを含み、それにより、UEは、UEとANとの間のユーザプレーン接続の識別子に第１のセッションを示すために使用される識別子を加えたものと、第１のセッションの識別子との間の第１の対応関係を記憶することを更に含む。
【０３５７】
本発明のこの実施例では、任意選択で、当該方法は、UEにより、ANにより送信された第５のメッセージを受信し、第５のメッセージは、UEとANとの間のユーザプレーン接続の識別子と、活性化されたセッション内の第１のセッションを示すために使用される識別子と、ターゲットネットワークスライスを示すために使用される情報とを含み、それにより、UEは、第１のセッションを示すために使用される識別子にターゲットネットワークスライスを示すために使用される情報を加えたものと、第１のセッションの識別子にターゲットネットワークスライスの識別子を加えたものとの間の第２の対応関係を記憶することを更に含む。
【０３５８】
本発明のこの実施例では、任意選択で、当該方法は、UEにより、データをANに送信するために第１のセッションを使用することを決定し、UEにより、第１のセッションの識別子及び第１の対応関係に基づいて、UEとANとの間のユーザプレーン接続の識別子に対応するユーザプレーン接続を使用することにより、データパケットを含むプロトコルデータユニットPDUをANに送信し、PDUは、第１のセッションを示すために使用される識別子を含むことを更に含む。
【０３５９】
本発明のこの実施例では、任意選択で、当該方法は、UEにより、データをANに送信するためにターゲットネットワークスライス内の第１のセッションを使用することを決定し、UEにより、第１のセッションの識別子、ターゲットネットワークスライスの識別子及び第２の対応関係に基づいて、UEとANとの間のユーザプレーン接続の識別子に対応するユーザプレーン接続を使用することにより、データパケットを含むプロトコルデータユニットPDUをANに送信し、PDUは、第１のセッションを示すために使用される識別子と、ターゲットネットワークスライスを示すために使用される情報とを含むことを更に含む。
【０３６０】
図２５を参照して、本発明の実施例によるコアネットワークエンティティについて詳細に以下に説明する。コアネットワークエンティティは通信システムに適用され、通信システムは、ユーザ装置UEと、アクセスネットワークANと、コアネットワークエンティティと、少なくとも１つのネットワークスライスとを含む。図２５に示すように、コアネットワークエンティティ70は、
UEにより送信された第１のメッセージを受信するように構成された受信ユニット71であり、第１のメッセージは、コアネットワークエンティティにより、ターゲットネットワークスライスを決定するために使用される第１の情報を含み、第１のメッセージは、ターゲットネットワークスライス内でUEのセッションを活性化するのを要求するために使用され、ターゲットネットワークスライスは第２のコアネットワークエンティティを含む、受信ユニット71と、
第２のメッセージを第２のコアネットワークエンティティに送信するように構成された送信ユニット72であり、第２のメッセージは、UEのセッションを活性化するのを要求するために使用され、それにより、第２のコアネットワークエンティティは、第２のメッセージに基づいて、UEのユーザプレーン接続を活性化する、送信ユニット72と
を含む。
【０３６１】
したがって、UEにより送信されたターゲットネットワークスライス内でセッションを活性化するのを要求するための要求を受信したとき、本発明のこの実施例によるコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３６２】
本発明のこの実施例では、任意選択で、ターゲットネットワークスライスは第３のコアエンティティを更に含み、UEは、ANを使用することにより、第３のコアネットワークエンティティとデータ通信を実行する。
【０３６３】
送信ユニット72が第２のメッセージを第２のコアネットワークエンティティに送信した後に、受信ユニット71は、第２のコアネットワークエンティティにより送信されたユーザプレーン情報を受信するように更に構成され、ユーザプレーン情報は、ANにより、第３のコアネットワークエンティティへのユーザプレーン接続を確立するために使用され、送信ユニット72は、ユーザプレーン情報をANに送信するように更に構成され、それにより、ANは、ユーザプレーン情報に基づいて、第３のコアネットワークエンティティへのユーザプレーン接続を確立する。
【０３６４】
本発明のこの実施例では、任意選択で、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティを含む。
【０３６５】
本発明のこの実施例では、任意選択で、第１の情報は、第２のコアネットワークエンティティによりUEに割り当てられた識別子を含む。
【０３６６】
第２のメッセージを第２のコアネットワークエンティティに送信する態様において、送信ユニット71は、第２のコアネットワークエンティティによりUEに割り当てられた識別子に基づいて、第２のコアネットワークエンティティを決定し、第２のメッセージを第２のコアネットワークエンティティに送信するように具体的に構成され、第２のメッセージは、第２のコアネットワークエンティティによりUEに割り当てられた識別子を含む。
【０３６７】
本発明のこの実施例では、任意選択で、第１のメッセージはセッション情報を更に含む。第２のメッセージを第２のコアネットワークエンティティに送信し、第２のメッセージがUEのセッションを活性化するのを要求するために使用され、それにより、第２のコアネットワークエンティティが、第２のメッセージに基づいて、UEのユーザプレーン接続を活性化する態様において、送信ユニット71は、第２のメッセージを第２のコアネットワークエンティティに送信するように具体的に構成され、第２のメッセージは、UEのセッションを活性化するのを要求するために使用され、第２のメッセージはセッション情報を含み、それにより、第２のコアネットワークエンティティは、第２のメッセージに基づいて、セッション情報により示されるセッションのためのユーザプレーン接続を活性化する。
【０３６８】
本発明のこの実施例では、任意選択で、送信ユニット71は、第３のメッセージをUEに送信し、第３のメッセージは、ターゲットネットワークスライスの識別子を含むか、或いは第３のメッセージをUEに送信し、第３のメッセージは、ターゲットネットワークスライス内で活性状態のセッションを示すために使用される情報を含む、ように更に構成される。
【０３６９】
本発明のこの実施例によるコアネットワークエンティティ70は、本発明の実施例による無線通信方法500を対応して実行してもよく、コアネットワークエンティティ70内の各モジュールの前述及び他の動作及び／又は機能は、それぞれ方法500における第１のコアネットワークエンティティにより実行される対応する手順を実現することを意図することが理解されるべきである。簡潔にするために、詳細はここでは説明しない。
【０３７０】
図２６を参照して、本発明の実施例によるコアネットワークエンティティについて詳細に以下に説明する。コアネットワークエンティティは通信システムに適用され、通信システムは、ユーザ装置UEと、アクセスネットワークANと、コアネットワークエンティティと、少なくとも１つのネットワークスライスとを含む。図２６に示すように、コアネットワークエンティティ80は、
ターゲットネットワークスライス内の第２のコアネットワークエンティティにより送信された通知メッセージを受信するように構成された受信ユニット81であり、通知メッセージは、第２のコアネットワークエンティティがUEに送信されるべき下りリンクデータを有することを示すために使用されるか、或いは通知メッセージは、第２のコアネットワークエンティティがUEと非アクセス層NAS通信を実行する必要があることを示すために使用される、受信ユニット81と、
第２のメッセージを第２のコアネットワークエンティティに送信するように構成された送信ユニット82であり、第２のメッセージは、UEのセッションを活性化するのを要求するために使用され、それにより、第２のコアネットワークエンティティは、第２のメッセージに基づいて、UEのユーザプレーン接続を活性化する、送信ユニット82と
を含む。
【０３７１】
したがって、第２のコアネットワークエンティティにより送信された通知メッセージを受信したとき、本発明のこの実施例によるコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３７２】
本発明のこの実施例では、任意選択で、ターゲットネットワークスライスは第３のコアネットワークエンティティを更に含み、UEは、ANを使用することにより、第３のコアネットワークエンティティとデータ通信を実行する。
【０３７３】
送信ユニット82が第２のメッセージを第２のコアネットワークエンティティに送信した後に、受信ユニット81は、第２のコアネットワークエンティティにより送信されたユーザプレーン情報を受信するように更に構成され、ユーザプレーン情報は、ANにより、第３のコアネットワークエンティティへのユーザプレーン接続を確立するために使用され、送信ユニット82は、ユーザプレーン情報をANに送信するように更に構成され、それにより、ANは、ユーザプレーン情報に基づいて、第３のコアネットワークエンティティへのユーザプレーン接続を確立する。
【０３７４】
本発明のこの実施例では、任意選択で、第２のメッセージを第２のコアネットワークエンティティに送信する態様において、送信ユニット82は、コアネットワークエンティティがUEへのシグナリング接続にあること又はUEに対応する活性のセッションを有することが決定されたとき、第２のメッセージを第２のコアネットワークエンティティに送信するように具体的に構成される。
【０３７５】
本発明のこの実施例では、任意選択で、第２のメッセージを第２のコアネットワークエンティティに送信する前に、送信ユニット82は、コアネットワークエンティティがUEへのシグナリング接続にないこと又はUEに対応する活性のセッションを有さないことが決定されたとき、ページングメッセージをUEに送信するように更に構成され、ページングメッセージは、UEにより、ターゲットネットワークスライスを決定するために使用される第２の情報を含み、
受信ユニット81は、ページングメッセージに基づいてUEにより送信された第１のメッセージを受信するように更に構成され、第１のメッセージは、コアネットワークエンティティにより、ターゲットネットワークスライスを決定するために使用される第１の情報を含む。
【０３７６】
本発明のこの実施例では、任意選択で、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０３７７】
本発明のこの実施例では、任意選択で、第１の情報は、ターゲットネットワークスライスの識別子を含む。
【０３７８】
本発明のこの実施例では、任意選択で、第１の情報は、第２のコアネットワークエンティティの識別子を含み、第２のコアネットワークエンティティの識別子は、ターゲットネットワークスライスの識別子を含む。
【０３７９】
本発明のこの実施例では、任意選択で、第１の情報は、第２のコアネットワークエンティティについての情報を含み、コアネットワークエンティティは、第２のコアネットワークエンティティについての情報及び予め設定された対応関係に基づいて、ターゲットネットワークスライスの識別子を決定するように構成された決定ユニットであり、予め設定された対応関係は、第２のコアネットワークエンティティについての情報とネットワークスライスの識別子との間の対応関係を含む、決定ユニットを更に含む。
【０３８０】
本発明のこの実施例では、任意選択で、送信ユニット82は、第３のメッセージをUEに送信し、第３のメッセージは、ターゲットネットワークスライスの識別子を含むか、或いは第３のメッセージをUEに送信し、第３のメッセージは、ターゲットネットワークスライス内の活性状態のセッションを示すために使用される情報を含む、ように更に構成される。
【０３８１】
本発明のこの実施例によるコアネットワークエンティティ80は、本発明の実施例による無線通信方法700を対応して実行してもよく、コアネットワークエンティティ80内の各モジュールの前述及び他の動作及び／又は機能は、それぞれ方法700における第１のコアネットワークエンティティにより実行される対応する手順を実現することを意図することが理解されるべきである。簡潔にするために、詳細はここでは説明しない。
【０３８２】
図２７を参照して、本発明の実施例によるコアネットワークエンティティについて詳細に以下に説明する。コアネットワークエンティティは通信システムに適用され、通信システムは、ユーザ装置UEと、アクセスネットワークANと、コアネットワークエンティティと、少なくとも１つのネットワークスライスとを含む。図２７に示すように、ユーザ装置90は、
第１のメッセージを第１のコアネットワークエンティティに送信するように構成された通信ユニット91であり、第１のメッセージは、第１のコアネットワークエンティティにより、ターゲットネットワークスライスを決定するために使用される第１の情報を含み、ターゲットネットワークスライスは第２のコアネットワークエンティティを含み、それにより、第１のコアネットワークエンティティは、第１のメッセージに基づいて、ターゲットネットワークスライス内でUEのセッションを活性化するのを要求するために使用される第２のメッセージを第２のコアネットワークエンティティに送信し、第２のコアネットワークエンティティは、第２のメッセージに基づいて、UEのユーザプレーン接続を活性化する、通信ユニット91を含み、
通信ユニット91は、活性化されたユーザプレーン接続を使用することにより、データを受信又は送信するように更に構成される。
【０３８３】
したがって、本発明のこの実施例によるUEは、ターゲットネットワークスライス内でセッションを活性化するのを要求するための要求を第１のコアネットワークエンティティに送信し、それにより、UEから要求を受信したとき、第１のコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、第１のコアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３８４】
本発明のこの実施例では、任意選択で、通信ユニット91が第１のメッセージを第１のコアネットワークエンティティに送信する前に、通信ユニット91は、第１のコアネットワークエンティティにより送信されたページングメッセージを受信するように更に構成され、ページングメッセージは、UEにより、ターゲットネットワークスライスを決定するために使用される第２の情報を含む。
【０３８５】
本発明のこの実施例では、任意選択で、通信ユニット91が第１のメッセージを第１のコアネットワークエンティティに送信する前に、通信ユニット91は、第２のメッセージと、UEによりネットワークスライスを決定するために使用される情報と第１のコアネットワークエンティティによりネットワークスライスを決定するために使用される情報との間の対応関係とに基づいて、第２の情報を決定するように更に構成される。
【０３８６】
本発明のこの実施例では、任意選択で、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティを含む。
【０３８７】
本発明のこの実施例では、任意選択で、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０３８８】
本発明のこの実施例では、任意選択で、第１の情報は、ターゲットネットワークスライスの識別子を含むか、或いは第１の情報は、第２のコアネットワークエンティティの識別子を含み、第２のコアネットワークエンティティの識別子は、ターゲットネットワークスライスの識別子を含むか、或いは第１の情報は、第２のコアネットワークエンティティについての情報を含み、第２のコアネットワークエンティティの識別子とネットワークスライスの識別子との間に対応関係が存在する。
【０３８９】
本発明のこの実施例では、任意選択で、通信ユニット91は、第１のコアネットワークエンティティにより送信された第３のメッセージを受信し、第３のメッセージは、ターゲットネットワークスライスの識別子を含み、ターゲットネットワークスライスの識別子に基づいて、活性化されたセッションを決定するか、或いは第１のコアネットワークエンティティにより送信された第３のメッセージを受信し、第３のメッセージは、ターゲットネットワークスライス内で活性状態のセッションを示すために使用される情報を含み、ターゲットネットワークスライス内で活性状態のセッションを示すために使用される情報に基づいて、活性化されたセッションを決定する、ように更に構成される。
【０３９０】
本発明のこの実施例では、任意選択で、通信ユニット91は、ANにより送信された第４のメッセージを受信するように更に構成され、第４のメッセージは、UEとANとの間のユーザプレーン接続の識別子と、活性化されたセッション内の第１のセッションを示すために使用される識別子とを含み、それにより、UEは、UEとANとの間のユーザプレーン接続の識別子に第１のセッションを示すために使用される識別子を加えたものと、第１のセッションの識別子との間の第１の対応関係を記憶する。
【０３９１】
本発明のこの実施例では、任意選択で、通信ユニット91は、ANにより送信された第５のメッセージを受信するように更に構成され、第５のメッセージは、UEとANとの間のユーザプレーン接続の識別子と、活性化されたセッション内の第１のセッションを示すために使用される識別子と、ターゲットネットワークスライスを示すために使用される情報とを含み、それにより、UEは、第１のセッションを示すために使用される識別子にターゲットネットワークスライスを示すために使用される情報を加えたものと、第１のセッションの識別子にターゲットネットワークスライスの識別子を加えたものとの間の第２の対応関係を記憶する。
【０３９２】
本発明のこの実施例では、任意選択で、通信ユニット91は、データをANに送信するために第１のセッションを使用することを決定し、第１のセッションの識別子及び第１の対応関係に基づいて、UEとANとの間のユーザプレーン接続の識別子に対応するユーザプレーン接続を使用することにより、データパケットを含むプロトコルデータユニットPDUをANに送信するように更に構成され、PDUは、第１のセッションを示すために使用される識別子を含む。
【０３９３】
本発明のこの実施例では、任意選択で、通信ユニット91は、データをANに送信するためにターゲットネットワークスライス内の第１のセッションを使用することを決定し、第１のセッションの識別子、ターゲットネットワークスライスの識別子及び第２の対応関係に基づいて、UEとANとの間のユーザプレーン接続の識別子に対応するユーザプレーン接続を使用することにより、データパケットを含むプロトコルデータユニットPDUをANに送信するように更に構成され、PDUは、第１のセッションを示すために使用される識別子と、ターゲットネットワークスライスを示すために使用される情報とを含む。
【０３９４】
本発明のこの実施例によるユーザ装置90は、本発明の実施例における無線通信方法900を対応して実行してもよく、ユーザ装置90内の各モジュールの前述及び他の動作及び／又は機能は、それぞれ方法900におけるユーザ装置により実行される対応する手順を実現するために使用されることが理解されるべきである。簡潔にするために、詳細はここでは説明しない。
【０３９５】
図２８は、本発明の他の実施例によるコアネットワークエンティティの概略構成図である。図２８におけるコアネットワークエンティティは、図２０における手順において第１のコアネットワークエンティティにより実行される方法を実行できる。図２８におけるコアネットワークエンティティ400は、トランシーバ410と、プロセッサ420と、メモリ430とを含む。プロセッサ420は、コアネットワークエンティティ400の動作を制御し、信号を処理するように構成されてもよい。メモリ430は、読み取り専用メモリ及びランダムアクセスメモリを含み、命令及びデータをプロセッサ420に提供してもよい。コアネットワークエンティティ400内の全てのコンポーネントは、バスシステム440を使用することにより一緒に結合される。データバスに加えて、バスシステム440は、電力バスと、制御バスと、状態信号バスとを更に含む。しかし、明確な説明のため、図面において様々な種類のバスは、バスシステム440として記される。
【０３９６】
本発明の前述の実施例に開示された方法は、プロセッサ420に適用されてもよく、或いはプロセッサ420により実現されてもよい。実現プロセスにおいて、前述の方法のステップは、プロセッサ420内のハードウェア集積論理回路又はソフトウェアの形式の命令を使用することにより完了されてもよい。プロセッサ420は、汎用プロセッサ、デジタルシグナルプロセッサ、特定用途向け集積回路、フィールドプログラマブルゲートアレイ若しくは他のプログラム可能論理デバイス、ディスクリートゲート若しくはトランジスタ論理デバイス、又はディスクリートハードウェアコンポーネントでもよく、本発明の実施例に開示された各方法、ステップ及び論理ブロック図を実現又は実行してもよい。汎用プロセッサは、マイクロプロセッサ、いずれかの従来のプロセッサ等でもよい。本発明の実施例を参照して開示された方法のステップは、ハードウェアプロセッサにより直接実行及び完了されてもよく、或いはプロセッサ内のハードウェア及びソフトウェアモジュールの組み合わせにより実行及び完了されてもよい。ソフトウェアモジュールは、ランダムメモリ、フラッシュメモリ、読み取り専用メモリ、プログラム可能読み取り専用メモリ、電気的消去可能プログラム可能メモリ又はレジスタのような当該分野における成熟したメモリ記憶媒体に位置してもよい。記憶媒体はメモリ430に位置し、プロセッサ420は、メモリ430内の情報を読み取り、プロセッサのハードウェアと組み合わせて前述の方法におけるステップを完了する。
【０３９７】
具体的には、トランシーバ410は、UEにより送信された第１のメッセージを受信するように構成され、第１のメッセージは、コアネットワークエンティティにより、ターゲットネットワークスライスを決定するために使用される第１の情報を含み、第１のメッセージは、ターゲットネットワークスライス内でUEのセッションを活性化するのを要求するために使用され、ターゲットネットワークスライスは第２のコアネットワークエンティティを含み、トランシーバ410は、第２のメッセージを第２のコアネットワークエンティティに送信するように更に構成され、第２のメッセージは、UEのセッションを活性化するのを要求するために使用され、それにより、第２のコアネットワークエンティティは、第２のメッセージに基づいて、UEのユーザプレーン接続を活性化する。
【０３９８】
したがって、UEにより送信されたターゲットネットワークスライス内でセッションを活性化するのを要求するための要求を受信したとき、本発明のこの実施例によるコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０３９９】
任意選択で、実施例では、ターゲットネットワークスライスは第３のコアエンティティを更に含み、UEは、ANを使用することにより、第３のコアネットワークエンティティとデータ通信を実行する。
【０４００】
トランシーバ410が第２のメッセージを第２のコアネットワークエンティティに送信した後に、トランシーバ410は、第２のコアネットワークエンティティにより送信されたユーザプレーン情報を受信するように更に構成され、ユーザプレーン情報は、ANにより、第３のコアネットワークエンティティへのユーザプレーン接続を確立するために使用され、トランシーバ410は、ユーザプレーン情報をANに送信するように更に構成され、それにより、ANは、ユーザプレーン情報に基づいて、第３のコアネットワークエンティティへのユーザプレーン接続を確立する。
【０４０１】
任意選択で、実施例では、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティを含む。
【０４０２】
任意選択で、実施例では、第１の情報は、第２のコアネットワークエンティティによりUEに割り当てられた識別子を含む。
【０４０３】
第２のメッセージを第２のコアネットワークエンティティに送信する態様において、トランシーバ410は、第２のコアネットワークエンティティによりUEに割り当てられた識別子に基づいて、第２のコアネットワークエンティティを決定し、第２のメッセージを第２のコアネットワークエンティティに送信するように具体的に構成され、第２のメッセージは、第２のコアネットワークエンティティによりUEに割り当てられた識別子を含む。
【０４０４】
任意選択で、実施例では、第１のメッセージはセッション情報を更に含む。第２のメッセージを第２のコアネットワークエンティティに送信し、第２のメッセージがUEのセッションを活性化するのを要求するために使用され、それにより、第２のコアネットワークエンティティが、第２のメッセージに基づいて、UEのユーザプレーン接続を活性化する態様において、トランシーバ410は、第２のメッセージを第２のコアネットワークエンティティに送信するように具体的に構成され、第２のメッセージは、UEのセッションを活性化するのを要求するために使用され、第２のメッセージはセッション情報を含み、それにより、第２のコアネットワークエンティティは、第２のメッセージに基づいて、セッション情報により示されるセッションのためのユーザプレーン接続を活性化する。
【０４０５】
任意選択で、実施例では、トランシーバ410は、第３のメッセージをUEに送信し、第３のメッセージは、ターゲットネットワークスライスの識別子を含むか、或いは第３のメッセージをUEに送信し、第３のメッセージは、ターゲットネットワークスライス内で活性状態のセッションを示すために使用される情報を含む、ように更に構成される。
【０４０６】
本発明のこの実施例によるコアネットワークエンティティ400は、本発明の実施例によるコアネットワークエンティティ70に対応してもよく、本発明の実施例による無線通信方法を実行するための対応するエンティティに対応してもよく、コアネットワークエンティティ400内の各モジュールの前述及び他の動作及び／又は機能は、それぞれ方法500における対応する手順を実現することを意図することが理解されるべきである。簡潔にするために、詳細はここでは説明しない。
【０４０７】
代替として、トランシーバ410は、ターゲットネットワークスライス内の第２のコアネットワークエンティティにより送信された通知メッセージを受信するように構成され、通知メッセージは、第２のコアネットワークエンティティがUEに送信されるべき下りリンクデータを有することを示すために使用されるか、或いは通知メッセージは、第２のコアネットワークエンティティがUEと非アクセス層NAS通信を実行する必要があることを示すために使用され、トランシーバ410は、第２のメッセージを第２のコアネットワークエンティティに送信するように更に構成され、第２のメッセージは、UEのセッションを活性化するのを要求するために使用され、それにより、第２のコアネットワークエンティティは、第２のメッセージに基づいて、UEのユーザプレーン接続を活性化する。
【０４０８】
したがって、第２のコアネットワークエンティティにより送信された通知メッセージを受信したとき、本発明のこの実施例によるコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、コアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０４０９】
任意選択で、実施例では、ターゲットネットワークスライスは第３のコアネットワークエンティティを更に含み、UEは、ANを使用することにより、第３のコアネットワークエンティティとデータ通信を実行する。
【０４１０】
トランシーバ510が第２のメッセージを第２のコアネットワークエンティティに送信した後に、トランシーバ510は、第２のコアネットワークエンティティにより送信されたユーザプレーン情報を受信するように更に構成され、ユーザプレーン情報は、ANにより、第３のコアネットワークエンティティへのユーザプレーン接続を確立するために使用され、トランシーバ510は、ユーザプレーン情報をANに送信するように更に構成され、それにより、ANは、ユーザプレーン情報に基づいて、第３のコアネットワークエンティティへのユーザプレーン接続を確立する。
【０４１１】
任意選択で、実施例では、第２のメッセージを第２のコアネットワークエンティティに送信する態様において、トランシーバ510は、コアネットワークエンティティがUEへのシグナリング接続にあること又はUEに対応する活性のセッションを有することが決定されたとき、第２のメッセージを第２のコアネットワークエンティティに送信するように具体的に構成される。
【０４１２】
任意選択で、実施例では、第２のメッセージを第２のコアネットワークエンティティに送信する前に、トランシーバ510は、コアネットワークエンティティがUEへのシグナリング接続にないこと又はUEに対応する活性のセッションを有さないことが決定されたとき、ページングメッセージをUEに送信するように更に構成され、ページングメッセージは、UEにより、ターゲットネットワークスライスを決定するために使用される第２の情報を含み、
トランシーバ510は、ページングメッセージに基づいてUEにより送信された第１のメッセージを受信するように更に構成され、第１のメッセージは、コアネットワークエンティティにより、ターゲットネットワークスライスを決定するために使用される第１の情報を含む。
【０４１３】
任意選択で、実施例では、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０４１４】
任意選択で、実施例では、第１の情報は、ターゲットネットワークスライスの識別子を含む。
【０４１５】
任意選択で、実施例では、第１の情報は、第２のコアネットワークエンティティの識別子を含み、第２のコアネットワークエンティティの識別子は、ターゲットネットワークスライスの識別子を含む。
【０４１６】
任意選択で、実施例では、第１の情報は、第２のコアネットワークエンティティについての情報を含む。プロセッサ520は、第２のコアネットワークエンティティについての情報及び予め設定された対応関係に基づいて、ターゲットネットワークスライスの識別子を決定するように構成され、予め設定された対応関係は、第２のコアネットワークエンティティについての情報とネットワークスライスの識別子との間の対応関係を含む。
【０４１７】
任意選択で、実施例では、トランシーバ510は、第３のメッセージをUEに送信し、第３のメッセージは、ターゲットネットワークスライスの識別子を含むか、或いは第３のメッセージをUEに送信し、第３のメッセージは、ターゲットネットワークスライス内の活性状態のセッションを示すために使用される情報を含む、ように更に構成される。
【０４１８】
本発明のこの実施例によるコアネットワークエンティティ400は、本発明の実施例によるコアネットワークエンティティ80に対応してもよく、本発明の実施例による無線通信方法を実行するための対応するエンティティに対応してもよく、コアネットワークエンティティ400内の各モジュールの前述及び他の動作及び／又は機能は、それぞれ方法700における対応する手順を実現することを意図することが理解されるべきである。簡潔にするために、詳細はここでは説明しない。
【０４１９】
図２９は、本発明の他の実施例によるユーザ装置の概略構成図である。図２９におけるユーザ装置は、図２４における手順においてユーザ装置により実行される方法を実行するように構成されてもよい。図２９におけるユーザ装置500は、トランシーバ510と、プロセッサ520と、メモリ530とを含む。プロセッサ520は、ユーザ装置500の動作を制御し、信号を処理するように構成されてもよい。メモリ530は、読み取り専用メモリ及びランダムアクセスメモリを含み、命令及びデータをプロセッサ520に提供してもよい。ユーザ装置500の全てのコンポーネントは、バスシステム540を使用することにより一緒に結合される。データバスに加えて、バスシステム540は、電力バスと、制御バスと、状態信号バスとを更に含む。しかし、明確な説明のため、図面において様々な種類のバスは、バスシステム540として記される。
【０４２０】
本発明の前述の実施例に開示された方法は、プロセッサ520に適用されてもよく、或いはプロセッサ520により実現されてもよい。実現プロセスにおいて、前述の方法のステップは、プロセッサ520内のハードウェア集積論理回路又はソフトウェアの形式の命令を使用することにより完了されてもよい。プロセッサ520は、汎用プロセッサ、デジタルシグナルプロセッサ、特定用途向け集積回路、フィールドプログラマブルゲートアレイ若しくは他のプログラム可能論理デバイス、ディスクリートゲート若しくはトランジスタ論理デバイス、又はディスクリートハードウェアコンポーネントでもよく、本発明の実施例に開示された各方法、ステップ及び論理ブロック図を実現又は実行してもよい。汎用プロセッサは、マイクロプロセッサ、いずれかの従来のプロセッサ等でもよい。本発明の実施例を参照して開示された方法のステップは、ハードウェアプロセッサにより直接実行及び完了されてもよく、或いはプロセッサ内のハードウェア及びソフトウェアモジュールの組み合わせにより実行及び完了されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような当該分野における成熟したメモリ記憶媒体に位置してもよい。記憶媒体はメモリ530に位置し、プロセッサ520は、メモリ530内の情報を読み取り、プロセッサのハードウェアと組み合わせて前述の方法におけるステップを完了する。
【０４２１】
具体的には、トランシーバ510は、第１のメッセージを第１のコアネットワークエンティティに送信するように構成され、第１のメッセージは、第１のコアネットワークエンティティにより、ターゲットネットワークスライスを決定するために使用される第１の情報を含み、ターゲットネットワークスライスは第２のコアネットワークエンティティを含み、それにより、第１のコアネットワークエンティティは、第１のメッセージに基づいて、ターゲットネットワークスライス内でUEのセッションを活性化するのを要求するために使用される第２のメッセージを第２のコアネットワークエンティティに送信し、第２のコアネットワークエンティティは、第２のメッセージに基づいて、UEのユーザプレーン接続を活性化する。トランシーバ510は、活性化されたユーザプレーン接続を使用することにより、データを受信又は送信するように更に構成される。
【０４２２】
したがって、本発明のこの実施例によるUEは、ターゲットネットワークスライス内でセッションを活性化するのを要求するための要求を第１のコアネットワークエンティティに送信し、それにより、UEから要求を受信したとき、第１のコアネットワークエンティティは、UEのセッションを活性化するのを要求するためのメッセージを、ターゲットネットワークスライス内の第２のコアネットワークエンティティに送信し、それにより、第２のコアネットワークエンティティは、UEが接続モードに入ることを可能にするために、第１のコアネットワークエンティティにより送信されたメッセージに基づいて、UEのユーザプレーン接続を活性化できる。このように、UEが或るネットワークスライス内でアイドルモードにあり、他のネットワークスライス内で接続モードにあるため、接続モードが管理するのが困難であることが回避でき、ネットワーク管理効率が改善できる。
【０４２３】
任意選択で、実施例では、トランシーバ510が第１のメッセージを第１のコアネットワークエンティティに送信する前に、トランシーバ510は、第１のコアネットワークエンティティにより送信されたページングメッセージを受信するように更に構成され、ページングメッセージは、UEにより、ターゲットネットワークスライスを決定するために使用される第２の情報を含む。
【０４２４】
任意選択で、実施例では、トランシーバ510が第１のメッセージを第１のコアネットワークエンティティに送信する前に、トランシーバ510は、第２のメッセージと、UEによりネットワークスライスを決定するために使用される情報と第１のコアネットワークエンティティによりネットワークスライスを決定するために使用される情報との間の対応関係とに基づいて、第２の情報を決定するように更に構成される。
【０４２５】
任意選択で、実施例では、第１の情報は、ターゲットネットワークスライスの識別子を含むか、或いは第１の情報は、ターゲットネットワークスライスのタイプを含むか、或いは第１の情報は、ターゲットネットワークスライスのタイプ及びテナントアイデンティティを含む。
【０４２６】
任意選択で、実施例では、第２の情報は、ターゲットネットワークスライスの識別子を含むか、或いは第２の情報は、ターゲットネットワークスライスのタイプを含むか、或いは第２の情報は、ターゲットネットワークスライスのタイプ及びテナントアイデンティティを含むか、或いは第２の情報は、第２のコアネットワークエンティティによりUEに割り当てられた識別子を含む。
【０４２７】
任意選択で、実施例では、第１の情報は、ターゲットネットワークスライスの識別子を含むか、或いは第１の情報は、第２のコアネットワークエンティティの識別子を含み、第２のコアネットワークエンティティの識別子は、ターゲットネットワークスライスの識別子を含むか、或いは第１の情報は、第２のコアネットワークエンティティについての情報を含み、第２のコアネットワークエンティティの識別子とネットワークスライスの識別子との間に対応関係が存在する。
【０４２８】
任意選択で、実施例では、トランシーバ510は、第１のコアネットワークエンティティにより送信された第３のメッセージを受信し、第３のメッセージは、ターゲットネットワークスライスの識別子を含み、ターゲットネットワークスライスの識別子に基づいて、活性化されたセッションを決定するか、或いは第１のコアネットワークエンティティにより送信された第３のメッセージを受信し、第３のメッセージは、ターゲットネットワークスライス内で活性状態のセッションを示すために使用される情報を含み、ターゲットネットワークスライス内で活性状態のセッションを示すために使用される情報に基づいて、活性化されたセッションを決定する、ように更に構成される。
【０４２９】
任意選択で、実施例では、トランシーバ510は、ANにより送信された第４のメッセージを受信するように更に構成され、第４のメッセージは、UEとANとの間のユーザプレーン接続の識別子と、活性化されたセッション内の第１のセッションを示すために使用される識別子とを含み、それにより、UEは、UEとANとの間のユーザプレーン接続の識別子に第１のセッションを示すために使用される識別子を加えたものと、第１のセッションの識別子との間の第１の対応関係を記憶する。
【０４３０】
任意選択で、実施例では、トランシーバ510は、ANにより送信された第５のメッセージを受信するように更に構成され、第５のメッセージは、UEとANとの間のユーザプレーン接続の識別子と、活性化されたセッション内の第１のセッションを示すために使用される識別子と、ターゲットネットワークスライスを示すために使用される情報とを含み、それにより、UEは、第１のセッションを示すために使用される識別子にターゲットネットワークスライスを示すために使用される情報を加えたものと、第１のセッションの識別子にターゲットネットワークスライスの識別子を加えたものとの間の第２の対応関係を記憶する。
【０４３１】
任意選択で、実施例では、トランシーバ510は、データをANに送信するために第１のセッションを使用することを決定し、第１のセッションの識別子及び第１の対応関係に基づいて、UEとANとの間のユーザプレーン接続の識別子に対応するユーザプレーン接続を使用することにより、データパケットを含むプロトコルデータユニットPDUをANに送信するように更に構成され、PDUは、第１のセッションを示すために使用される識別子を含む。
【０４３２】
任意選択で、実施例では、トランシーバ510は、データをANに送信するためにターゲットネットワークスライス内の第１のセッションを使用することを決定し、第１のセッションの識別子、ターゲットネットワークスライスの識別子及び第２の対応関係に基づいて、UEとANとの間のユーザプレーン接続の識別子に対応するユーザプレーン接続を使用することにより、データパケットを含むプロトコルデータユニットPDUをANに送信するように更に構成され、PDUは、第１のセッションを示すために使用される識別子と、ターゲットネットワークスライスを示すために使用される情報とを含む。
【０４３３】
本発明のこの実施例によるユーザ装置500は、本発明の実施例によるユーザ装置90に対応してもよく、本発明の実施例による無線通信方法を実行するための対応するエンティティに対応してもよく、ユーザ装置500内の各モジュールの前述及び他の動作及び／又は機能は、それぞれ方法900における対応する手順を実現することを意図することが理解されるべきである。簡潔にするために、詳細はここでは説明しない。
【０４３４】
本発明の前述の方法の実施例は、プロセッサに適用されてもよく、或いはプロセッサにより実現されてもよい点に留意すべきである。プロセッサは、集積回路チップでもよく、信号処理能力を有する。実現プロセスにおいて、前述の方法の実施例におけるステップは、プロセッサ内のハードウェア集積論理回路を使用することにより、或いはソフトウェアの形式の命令を使用することにより実現できる。さらに、プロセッサは、汎用プロセッサ、デジタルシグナルプロセッサ（Digital  Signal  Processing,  DSP）、特定用途向け集積回路（Application-Specific  Integrated  Circuit,  ASIC）、フィールドプログラマブルゲートアレイ（Field  Programmable  Gate  Array,  FPGA）、他のプログラム可能論理デバイス、ディスクリートゲート、トランジスタ論理デバイス又はディスクリートハードウェアコンポーネントでもよい。本発明のこの実施例に開示された全ての方法、ステップ及び論理ブロック図が実現又は実行されてもよい。汎用プロセッサはマイクロプロセッサでもよく、或いはプロセッサはいずれかの通常のプロセッサ等でもよい。本発明の実施例に開示された方法のステップは、ハードウェアデコーディングプロセッサにより直接実行及び完了されてもよく、或いはデコーディングプロセッサ内のハードウェア及びソフトウェアモジュールの組み合わせを使用することにより実行及び完了されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような当該分野における成熟したメモリ記憶媒体に位置してもよい。記憶媒体はメモリに位置し、プロセッサは、メモリ内の情報を読み取り、プロセッサのハードウェアと組み合わせて前述の方法におけるステップを完了する。
【０４３５】
本発明の実施例におけるメモリは、揮発性メモリ又は不揮発性メモリでもよく、或いは揮発性メモリ及び不揮発性メモリを含んでもよいことが理解され得る。不揮発性メモリは、読み取り専用メモリ（Read-Only  Memory,  ROM）、プログラム可能読み取り専用メモリ（Programmable  ROM,  PROM）、消去可能プログラム可能読み取り専用メモリ（Erasable  PROM,  EPROM）、電気的消去可能プログラム可能読み取り専用メモリ（Electrically  EPROM,  EEPROM）又はフラッシュメモリでもよい。揮発性メモリは、外部キャッシュとして使用されるランダムアクセスメモリ（Random  Access  Memory,  RAM）でもよい。限定ではなく、例えば、多くの形式のRAM、例えば、スタティックランダムアクセスメモリ（Static  RAM,  SRAM）、ダイナミックランダムアクセスメモリ（Dynamic  RAM,  DRAM）、シンクロナス・ダイナミックランダムアクセスメモリ（Synchronous  DRAM,  SDRAM）、ダブルデータレート・シンクロナス・ダイナミックランダムアクセスメモリ（Double  Data  Rate  SDRAM,  DDR  SDRAM）、エンハンスト・シンクロナス・ダイナミックランダムアクセスメモリ（Enhanced  SDRAM,  ESDRAM）、シンクリンク・ダイナミックランダムアクセスメモリ（Synchlink  DRAM,  SLDRAM）及びダイレクト・ランバス・ランダムアクセスメモリ（Direct  Rambus  RAM,  DR  RAM）が利用可能である。この明細書に記載のシステム及び方法におけるメモリは、これらのメモリ及び他の適切な種類のいずれかのメモリを含むことを意図しているが、これらに限定されない点に留意すべきである。
【０４３６】
当業者は、この明細書に開示された実施例を参照して説明した例におけるユニット及びアルゴリズムのステップが電子ハードウェア又はコンピュータソフトウェアと電子ハードウェアとの組み合わせにより実現されてもよいことを認識し得る。機能がハードウェアにより実行されるかソフトウェアにより実行されるかは、技術的解決策の特定の用途及び設計上の制約条件に依存する。当業者は、特定の用途毎に記載の機能を実現するために異なる方法を使用してもよいが、この実現方式は、本発明の範囲を超えるものとして考えられるべきではない。
【０４３７】
便宜的且つ簡潔な説明の目的で、システム、装置及びユニットの詳細な動作プロセスについて、方法の実施例における対応するプロセスを参照することが当業者により明確に理解され得る。詳細をここでは再び説明しない。
【０４３８】
この出願において提供されるいくつかの実施例では、開示のシステム、装置及び方法は他の方式で実現されてもよいことが理解されるべきである。例えば、記載の装置の実施例は、単なる例に過ぎない。例えば、ユニットの分割は、単に論理的な機能分割であり、実際の実現方式では他の分割でもよい。例えば、複数のユニット又はコンポーネントは結合されてもよく、或いは他のシステムに統合されてもよく、或いはいくつかの機能が無視されてもよく或いは実行されなくてもよい。さらに、表示又は議論した相互結合若しくは直接結合又は通信接続は、いくつかのインタフェースを使用することにより実現されてもよい。装置又はユニットの間の間接結合又は通信接続は、電気的、機械的又は他の形式で実現されてもよい。
【０４３９】
別々の部分として記載したユニットは、物理的に別々でもよく或いは別々でなくてもよく、ユニットとして表示された部分は、物理的なユニットでもよく或いは物理的なユニットでなくてもよく、１つの位置に存在してもよく、或いは複数のネットワークユニットに分散されてもよい。ユニットの一部又は全部は、実施例の解決策の目的を達成するために、実際のニーズに従って選択されてもよい。
【０４４０】
さらに、本発明の実施例における機能ユニットは、１つの処理ユニットに統合されてもよく、或いはユニットのそれぞれが物理的に単独で存在してもよく、或いは２つ以上のユニットが１つのユニットに統合される。
【０４４１】
機能がソフトウェア機能ユニットの形式で実現され、独立したプロダクトとして販売又は使用されるとき、機能は、コンピュータ読み取り可能記憶媒体に記憶されてもよい。このような理解に基づいて、基本的に本発明の技術的解決策若しくは従来技術に寄与する部分、又は技術的解決策の一部は、ソフトウェアプロダクトの形式で実現されてもよい。コンピュータソフトウェアプロダクトは、記憶媒体に記憶され、コンピュータデバイス（パーソナルコンピュータ、サーバ又はネットワークデバイスでもよい）に対して本発明の実施例に記載の方法のステップの全部又は一部を実行するように命令するためのいくつかの命令を含む。前述の記憶媒体は、USBフラッシュドライブ、取り外し可能ハードディスク、読み取り専用メモリ（ROM,  Read-Only  Memory）、ランダムアクセスメモリ（RAM,  Random  Access  Memory）、磁気ディスク又は光ディスクのようなプログラムコードを記憶できるいずれかの媒体を含む。
【０４４２】
前述の説明は本発明の単に具体的な実施例に過ぎず、本発明の保護範囲を限定することを意図するものではない。本発明に開示された技術的範囲内で当業者により容易に認識される如何なる変更又は置換も、本発明の保護範囲内に入るものとする。したがって、本発明の保護範囲は、特許請求の範囲の保護範囲に従うものとする。
【図１】
2020129826.tif 000003
【図２】
2020129826.tif 000004
【図３】
2020129826.tif 000005
【図４Ａ】
2020129826.tif 000006
【図４Ｂ】
2020129826.tif 000007
【図５】
2020129826.tif 000008
【図６】
2020129826.tif 000009
【図７】
2020129826.tif 000010
【図８】
2020129826.tif 000011
【図９】
2020129826.tif 000012
【図１０】
2020129826.tif 000013
【図１１】
2020129826.tif 000014
【図１２】
2020129826.tif 000015
【図１３】
2020129826.tif 000016
【図１４】
2020129826.tif 000017
【図１５】
2020129826.tif 000018
【図１６】
2020129826.tif 000019
【図１７】
2020129826.tif 000020
【図１８】
2020129826.tif 000021
【図１９】
2020129826.tif 000022
【図２０】
2020129826.tif 000023
【図２１】
2020129826.tif 000024
【図２２】
2020129826.tif 000025
【図２３】
2020129826.tif 000026
【図２４】
2020129826.tif 000027
【図２５】
2020129826.tif 000028
【図２６】
2020129826.tif 000029
【図２７】
2020129826.tif 000030
【図２８】
2020129826.tif 000031
【図２９】
2020129826.tif 000032
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
装置により実施される無線通信方法であって、
第１のコアネットワークエンティティへのシグナリング接続を確立するステップと、
ネットワークスライス情報及び非アクセス層（NAS）メッセージを前記第１のコアネットワークエンティティに送信するステップであり、前記ネットワークスライス情報は、ネットワークスライス識別子を含む、ステップと、
RAN及び前記第１のコアネットワークエンティティを通じて第２のコアネットワークエンティティとNAS通信を実行するステップであり、前記第２のコアネットワークエンティティは、前記ネットワークスライス識別子に対応するターゲットネットワークスライスに属する、ステップと
を含む方法。
【請求項２】
NASメッセージを前記第１のコアネットワークエンティティに送信することは、
NAS  Containerを前記第１のコアネットワークエンティティに送信し、前記NAS  Containerは、前記NASメッセージを含むことを含む、請求項１に記載の方法。
【請求項３】
前記NAS  Container内のコンテンツは、前記第１のコアネットワークエンティティにより解析されない、請求項１又は２に記載の方法。
【請求項４】
前記NASメッセージは、前記装置と前記第２のコアネットワークエンティティとの間のセッションを活性化するように構成される、請求項１乃至３のうちいずれか１項に記載の方法。
【請求項５】
前記NASメッセージを前記第１のコアネットワークエンティティに送信する前に、
前記第１のコアネットワークエンティティからページングメッセージを受信するステップであり、前記ページングメッセージは、前記ネットワークスライス識別子を含む、ステップを更に含む、請求項１乃至４のうちいずれか１項に記載の方法。
【請求項６】
前記装置と前記第２のコアネットワークエンティティとの間で前記セッションが活性化されている間に、前記第２のコアネットワークエンティティからメッセージを取得するステップであり、前記第２の情報は、前記装置により前記ターゲットネットワークスライスを決定するために使用される前記メッセージに含まれる、ステップを更に含む、請求項１乃至５のうちいずれか１項に記載の方法。
【請求項７】
無線通信方法であって、
第１のコアネットワークエンティティにより、ユーザ装置（UE）へのシグナリング接続を確立するステップと、
前記第１のコアネットワークエンティティにより、前記UEからネットワークスライス情報及び非アクセス層（NAS）メッセージを受信するステップであり、前記ネットワークスライス情報は、ネットワークスライス識別子を含む、ステップと、
前記第１のコアネットワークエンティティにより、ターゲットネットワークスライスを取得するステップであり、前記ターゲットネットワークスライスは、前記ネットワークスライス識別子に対応し、前記ターゲットネットワークスライスは、第２のコアネットワークエンティティを含む、ステップと、
前記第１のコアネットワークエンティティにより、前記NASメッセージを前記第２のコアネットワークエンティティに送信するステップと
を含む方法。
【請求項８】
前記第１のコアネットワークエンティティにより、前記UEからNAS  Containerを受信するステップであり、前記NAS  Containerは、前記NASメッセージを含む、ステップを更に含む、請求項７に記載の方法。
【請求項９】
前記第１のコアネットワークエンティティにより、前記NAS  Container内のコンテンツを解析せずに前記第２のコアネットワークエンティティに送信するステップを更に含む、請求項７又は８に記載の方法。
【請求項１０】
前記第１のコアネットワークエンティティにより、前記第２のコアネットワークエンティティからRAN  Containerを受信するステップであり、前記RAN  Containerは、前記RANと第３のコアネットワークエンティティとの間のユーザプレーン接続を確立するように構成される、ステップと、
前記第１のコアネットワークエンティティにより、前記RAN  Container内のコンテンツを解析せずに前記RAN  Containerを前記RANに送信するステップと
を更に含む、請求項７乃至９のうちいずれか１項に記載の方法。
【請求項１１】
無線通信方法であって、
第１のコアネットワークエンティティにより、ユーザ装置（UE）へのシグナリング接続を確立するステップと、
前記第１のコアネットワークエンティティにより、前記UEからネットワークスライス情報及び非アクセス層（NAS）メッセージを受信するステップであり、前記ネットワークスライス情報は、ネットワークスライス識別子を含む、ステップと、
前記第１のコアネットワークエンティティにより、ターゲットネットワークスライスを取得するステップであり、前記ターゲットネットワークスライスは、前記ネットワークスライス識別子に対応し、前記ターゲットネットワークスライスは、第２のコアネットワークエンティティを含む、ステップと、
前記第１のコアネットワークエンティティにより、前記NASメッセージを前記第２のコアネットワークエンティティに送信するステップと、
前記第２のコアネットワークエンティティにより、RAN及び前記第１のコアネットワークエンティティを通じて前記UEとNAS通信を実行するステップであり、前記第２のコアネットワークエンティティは、前記ネットワークスライス識別子に対応するターゲットネットワークスライスに属する、ステップと
を含む方法。
【請求項１２】
前記第１のコアネットワークエンティティにより、前記UEからNAS  Containerを受信するステップであり、前記NAS  Containerは、前記NASメッセージを含む、ステップを更に含む、請求項１１に記載の方法。
【請求項１３】
前記第１のコアネットワークエンティティにより、前記NAS  Container内のコンテンツを解析せずに前記第２のコアネットワークエンティティに送信するステップを更に含む、請求項１１又は１２に記載の方法。
【請求項１４】
前記第１のコアネットワークエンティティにより、前記第２のコアネットワークエンティティからRAN  Containerを受信するステップであり、前記RAN  Containerは、前記RANと第３のコアネットワークエンティティとの間のユーザプレーン接続を確立するように構成される、ステップと、
前記第１のコアネットワークエンティティにより、前記RAN  Container内のコンテンツを解析せずに前記RAN  Containerを前記RANに送信するステップと
を更に含む、請求項１１乃至１３のうちいずれか１項に記載の方法。
【請求項１５】
少なくとも１つのプロセッサと、命令を記憶するように構成されたメモリとを含む装置であって、
前記少なくとも１つのプロセッサは、前記メモリに記憶された前記命令を実行するように構成され、それにより、当該装置は、請求項１乃至６のうちいずれか１項に記載の方法のステップを実行する、装置。
【請求項１６】
当該装置は、ユーザ装置又は通信チップである、請求項１５に記載の装置。
【請求項１７】
少なくとも１つのプロセッサと、命令を記憶するように構成されたメモリとを含む第１のコアネットワークエンティティであって、
前記少なくとも１つのプロセッサは、前記メモリに記憶された前記命令を実行するように構成され、それにより、前記第１のコアネットワークエンティティは、請求項７乃至１０のうちいずれか１項に記載の方法のステップを実行する、第１のコアネットワークエンティティ。
【請求項１８】
コンピュータにより実行されたとき、前記コンピュータに請求項１乃至６のうちいずれか１項に記載の方法のステップを実行させる命令を含むコンピュータ読み取り可能記憶媒体。
【請求項１９】
コンピュータにより実行されたとき、前記コンピュータに請求項７乃至１０のうちいずれか１項に記載の方法のステップを実行させる命令を含むコンピュータ読み取り可能記憶媒体。
【請求項２０】
第１のコアネットワークエンティティと、第２のコアネットワークエンティティとを含む通信システムであって、
前記第１のコアネットワークエンティティは、少なくとも、
ユーザ装置（UE）へのシグナリング接続を確立するステップと、
前記UEからネットワークスライス情報及び非アクセス層（NAS）メッセージを受信するステップであり、前記ネットワークスライス情報は、ネットワークスライス識別子を含む、ステップと、
ターゲットネットワークスライスを取得するステップであり、前記ターゲットネットワークスライスは、前記ネットワークスライス識別子に対応し、前記ターゲットネットワークスライスは、前記第２のコアネットワークエンティティを含む、ステップと、
前記NASメッセージを前記第２のコアネットワークエンティティに送信するステップと
を実行するように構成され、
前記第２のコアネットワークエンティティは、少なくとも、
前記第２のコアネットワークエンティティにより、RAN及び前記第１のコアネットワークエンティティを通じて前記UEとNAS通信を実行するステップであり、前記第２のコアネットワークエンティティは、ネットワークスライス識別子に対応するターゲットネットワークスライスに属する、ステップを実行するように構成される、通信システム。
【手続補正２】
【補正対象書類名】明細書
【補正対象項目名】０３８２
【補正方法】変更
【補正の内容】
【０３８２】
図２７を参照して、本発明の実施例によるユーザ装置について詳細に以下に説明する。ユーザ装置は通信システムに適用され、通信システムは、ユーザ装置UEと、アクセスネットワークANと、第１のコアネットワークエンティティと、少なくとも１つのネットワークスライスとを含む。図２７に示すように、ユーザ装置90は、
第１のメッセージを第１のコアネットワークエンティティに送信するように構成された通信ユニット91であり、第１のメッセージは、第１のコアネットワークエンティティにより、ターゲットネットワークスライスを決定するために使用される第１の情報を含み、ターゲットネットワークスライスは第２のコアネットワークエンティティを含み、それにより、第１のコアネットワークエンティティは、第１のメッセージに基づいて、ターゲットネットワークスライス内でUEのセッションを活性化するのを要求するために使用される第２のメッセージを第２のコアネットワークエンティティに送信し、第２のコアネットワークエンティティは、第２のメッセージに基づいて、UEのユーザプレーン接続を活性化する、通信ユニット91を含み、
通信ユニット91は、活性化されたユーザプレーン接続を使用することにより、データを受信又は送信するように更に構成される。
【外国語明細書】
2020129826000001.pdf